(57)【要約】呼吸装置は吸い口を備え、この吸い口は、前記吸い口の第１の端部と第２の端部との間の接続部を形成するための呼吸経路を形成する。第１の端部は、ユーザが呼吸開口部を通して吸い口の中に息を吹き込むことを目的として構成される。少なくとも部分的に可撓性の再呼吸空気チャンバは、吸い口の第２の端部に取り付けられ、それによって、呼吸経路と流体連通している。再呼吸空気チャンバは、少なくとも部分的に可撓性の壁部（複数可）によって形成され、少なくとも部分的に可撓性の再呼吸チャンバは、第１の壁部を有し、上記壁部に設けられた複数の細孔によって気体に対して透過性であり、及び／若しくは、吸い口は、１つ以上の貫通開口部を備える。【選択図】図１０
2019506955.tif 000002
【特許請求の範囲】
【請求項１】
呼吸装置（１）であって、
吸い口（２）の第１の端部と第２の端部との間の接続部を形成するべく、呼吸経路を形成する吸い口（２）であって、前記第１の端部は、ユーザが、呼吸開口部（５）を通して前記吸い口の中に息を吹き込むことを目的として構成される、吸い口（２）と、
前記吸い口の前記第２の端部に取り付けられ、それによって、前記呼吸経路と流体連通している、少なくとも部分的に可撓性の再呼吸空気チャンバ（１５）であって、前記再呼吸空気チャンバは、少なくとも部分的に可撓性の壁部（複数可）によって形成される、少なくとも部分的に可撓性の再呼吸空気チャンバ（１５）と、
を備え、
前記少なくとも部分的に可撓性の再呼吸チャンバ（１５）は、前記壁部に設けられた複数の細孔（３６）及び／若しくは貫通開口部（２７）のような１つ以上のものによって、気体に対して透過性である第１の壁部（３，１０，１１，１６，２８）を有し、
前記吸い口（２）は、前記呼吸経路と周囲大気との間の流体連通を可能にする１つ以上の貫通開口部（１９，３５）を備える、呼吸装置。
【請求項２】
請求項１に記載の呼吸装置であって、
前記再呼吸空気チャンバ（１５）は、
前記少なくとも部分的に可撓性の第１の壁部（３，１０，１１，１６，２８）にある多数の貫通開口部及び／若しくは細孔であって、前記貫通開口部及び／若しくは細孔は、気体に対する透過性を提供し、且つ全体としての流れコンダクタンスＧを有する、多数の貫通開口部及び／若しくは細孔、
を備え、
前記細孔及び／若しくは貫通開口部から離れた前記第１の壁部は、気体に対して非透過性であり、且つ、前記第１の壁部にまたがる圧力差によって変形可能であり、前記圧力差は、前記再呼吸チャンバの中にユーザが息を吹き込むことによって提供される大きさのものであり、これによって、前記第１の壁部は、前記第１の壁部によって取り囲まれる前記再呼吸チャンバに、実質的な時間で正規化されたコンプライアンスＣを与え、ここでＣは、前記壁部にまたがる圧力差あたり、一秒あたりの、前記再呼吸チャンバの体積膨張として決定され、
前記再呼吸空気チャンバは、好ましくは０．５と０．９５の間など、０．５と０．９の間の値として、ここでは定義される再呼吸比を有する、呼吸装置。
【請求項３】
請求項１若しくは請求項２に記載の呼吸装置であって、
前記再呼吸空気チャンバ（３，４）は、
気体に対して透過性であると共に、第１のコンダクタンスＧoutを有する前記第１の壁部（３）と、
気体に対して非透過性であると共に、第２のコンダクタンスＧexpendを有する第２の壁部（４）と、
を備え、
前記第１及び第２の壁部は、０．５と０．９の間のＲＢＲ＝Ｇexpand／（Ｇout＋Ｇexpand）として定義されるＲＢＲを提供するように構成される、呼吸装置。
【請求項４】
請求項１から請求項３のいずれか一項に記載の呼吸装置であって、
前記再呼吸空気チャンバは、空気に対して透過性である第１の壁部（３）と空気に対して非透過性である第２の壁部（４）とを備える、呼吸装置。
【請求項５】
請求項１から請求項４のいずれか一項に記載の呼吸装置であって、
前記再呼吸空気チャンバ（１５）は、前記可撓性の第１の壁部（３）及び／若しくは、前記壁部の中に設けられた複数の細孔及び／若しくは貫通開口部により気体に対して透過性である可撓性の第２の壁部によって形成される、呼吸装置。
【請求項６】
請求項１から請求項５のいずれか一項に記載の呼吸装置であって、
前記可撓性の壁部（１１）によって形成される前記再呼吸チャンバ（１５）は、前記可撓性の壁部（１１）に分布する、線若しくは列の形で配置された複数の細孔及び／若しくは貫通開口部により気体に対して透過性である、呼吸装置。
【請求項７】
請求項１から請求項６のいずれか一項に記載の呼吸装置であって、
前記呼吸装置（１）は、再呼吸空気チャンバ接続器（２６）を更に備え、前記接続器（２６）は、
・顔マスク若しくは前記吸い口（２）を前記再呼吸空気チャンバ（１５）に接続することを目的として、若しくは、
・前記接続器（２６）が前記吸い口（２）を形成するように、
構成され、
前記接続器（２８）の少なくとも一部分は、前記第１の壁部及び／若しくは第２の壁部の少なくとも一部分を形成し、前記再呼吸空気チャンバ接続器（２６）は、前記再呼吸空気チャンバ（１５）に入る、及び／若しくは前記再呼吸空気チャンバ（１５）から出る際の、ユーザの息との流体連通を可能にする、呼吸装置。
【請求項８】
請求項１から項請求７のいずれか一項に記載の呼吸装置であって、
前記再呼吸空気チャンバ（１５）の形は、直方体のような立方体、回転楕円体のような球体、袋タイプ、実質的に四面体のような四面体、実質的にピラミッドのような四角ベースのピラミッド、実質的に八面体のような八面体、実質的にプリズムのような六辺形プリズム、実質的に十二面体のような十二面体、円筒形、若しくは楕円柱、を備えるグループから選択される、呼吸装置。
【請求項９】
請求項１から請求項８のいずれか一項に記載の呼吸装置であって、
再呼吸装置（１５）の前記形は、請求項８に従って選択され、且つ前記再呼吸空気チャンバは、各々が前記再呼吸チャンバの面を定義する壁板を備え、前記壁板の１つ以上及び／若しくは、前記壁板の１つの少なくとも一部分は、前記第１の可撓性の壁部を形成し、且つ、請求項３に依存する場合、前記壁板の少なくとも１つは、前記第２の可撓性の壁部（１８）の少なくとも一部分を形成し、前記第１の壁部は、好ましくは、透過性の部分を備えるか、若しくは、好ましくは、前記可撓性の第１の壁部に分布する、線若しくは列の形で配置された複数の細孔及び／若しくは貫通開口部により気体に対して透過性である、呼吸装置。
【請求項１０】
請求項８に記載の呼吸装置であって、
前記壁板の１つ以上は、第１の可撓性の壁部及び／若しくは第２の可撓性の壁部を備える、呼吸装置。
【請求項１１】
請求項８若しくは請求項１０に記載の呼吸装置であって、
前記壁板及び／若しくは壁部は、４ｍｍよりも小さな厚さを有し、前記厚さは、２ｍｍよりも小さい、１ｍｍよりも小さいなどである、呼吸装置。
【請求項１２】
請求項７から請求項１１のいずれか一項に記載の呼吸装置であって、
前記再呼吸空気チャンバは、前記再呼吸空気チャンバ接続器（２６）に配置された前記呼吸経路を更に備え、これによって、使用中、前記再呼吸空気チャンバ（１５）に入る、及び／若しくは前記再呼吸空気チャンバ（１５）から出る際の、前記ユーザの口との流体連通を可能にする、呼吸装置。
【請求項１３】
請求項７から請求項１２のいずれか一項に記載の呼吸装置であって、
前記呼吸経路は、少なくとも１つの貫通開口部（１９，３５）を有し、これによって、前記呼吸装置に入る、及び／若しくは前記呼吸装置から出る際の、前記周囲大気との流体連通を可能にする、呼吸装置。
【請求項１４】
請求項１３に記載の呼吸装置であって、
前記貫通開口部の１つ以上は、閉止可能であり、及び／若しくは、例えば、バルブ機構（３８）によって、サイズ（３４）が調節可能である、呼吸装置。
【請求項１５】
請求項１３若しくは請求項１４に記載の呼吸装置であって、
前記呼吸経路に設けられた前記貫通開口部（３０）は、１つ以上の開口部の形をしており、好ましくは、２つの平行な長手方向の壁部（２５）の間に配置された滑動部（２４）によって覆われ、前記滑動部（２４）が前記２つの平行な長手方向の壁部（２５）の間で直動的に移動する場合、前記滑動部は、前記呼吸経路（２）の中に開口部を提供し、前記滑動部（２４）は、前記再呼吸空気チャンバ（１５）の中への空気の流れを調節することを目的として構成される、呼吸装置。
【請求項１６】
請求項１３から請求項１５のいずれか一項に記載の呼吸装置であって、
前記呼吸経路は、２つの平行な長手方向の壁部（２０）を更に備え、前記２つの平行な長手方向の壁部（２０）は、２ｃｍ未満の距離、好ましくは１ｃｍ未満など、３ｃｍ未満の距離を有する前記呼吸経路を通って、呼吸方向に対して垂直な方向に突出しており、前記呼吸装置を指で保持する間に、ユーザが前記貫通開口部を指で塞ぐことを妨げるために構成され、前記貫通開口部（１９）は、２つの平行な長手方向の壁部（２０）の間に配置される、呼吸装置。
【請求項１７】
請求項７から請求項１６のいずれか一項に記載の呼吸装置であって、
前記再呼吸空気チャンバは、前記再呼吸空気チャンバ接続器（２６）上に配置された、調節可能でない貫通開口部（２７）を備え、これによって、前記再呼吸空気チャンバに入る、及び／若しくは前記再呼吸空気チャンバから出る際の、前記周囲大気との流体連通を可能にする、呼吸装置。
【請求項１８】
請求項７から請求項１２のいずれか一項に記載の呼吸装置であって、
前記再呼吸空気チャンバ接続器（２６）は、受け口（２９）を更に備え、前記受け口（２９）は、前記再呼吸空気チャンバに入る、及び／若しくは前記再呼吸空気チャンバから出る際の流体連通を可能にしながら、前記再呼吸空気チャンバを前記吸い口に接続することを目的として構成される、呼吸装置。
【請求項１９】
請求項１８に記載の呼吸装置であって、
１つ以上の再閉止可能な、及び／若しくは調節可能な開口部は、好ましくは、２つの平行な長手方向の壁部（２５）の間に配置された滑動部（２４）を備え、前記滑動部は、前記可撓性の壁部（１８）上に配置され、前記滑動部（２４）は、前記滑動部（２４）が前記２つの平行な長手方向の壁部（２５）の間で一方の側に移動する場合、前記再呼吸空気チャンバ（１５）の中への開口部を提供し、前記滑動部（２４）は、前記再呼吸空気チャンバ（１５）の中への空気の流れを調節することを目的として構成される、呼吸装置。
【請求項２０】
請求項１８若しくは請求項１９に記載の呼吸装置であって、
前記受け口（２９）は、前記吸い口（２）を形成する、呼吸装置。
【請求項２１】
請求項７から請求項２０のいずれか一項に記載の呼吸装置であって、
前記再呼吸空気チャンバ接続器（２６）は、調節可能でない貫通開口部（２７）を備え、これによって、前記再呼吸空気チャンバに入る、及び／若しくは前記再呼吸空気チャンバから出る際の、前記周囲大気との流体連通を可能にする、呼吸装置。
【請求項２２】
請求項１から請求項２１のいずれか一項に記載の呼吸装置であって、
前記貫通開口部（１９，２７）及び／若しくは滑動部／バルブの可変開口部（３０）は、前記再呼吸空気チャンバから出ていく流体を、ユーザの顔から遠ざけるように向ける／角度をつけることを目的として構成される、呼吸装置。
【請求項２３】
請求項１から請求項２２のいずれか一項に記載の呼吸装置であって、
前記貫通開口部（１９，２７）は、円形、長方形、及び／若しくは楕円形の形をしている、呼吸装置。
【請求項２４】
請求項１から請求項２３のいずれか一項に記載の呼吸装置であって、
前記貫通開口部（１９，２７）の水力直径は、貫通開口部（１９，２７）あたり、１００×１０ｃｍ-6ｍから３ｃｍの間など、１００×１０-6ｍから２ｃｍの間に選択される、呼吸装置。
【請求項２５】
請求項８から請求項２４のいずれか一項に記載の呼吸装置であって、
前記可撓性の壁部（１６，１８）は、ひだをつけるなどにより、折りたたみ可能である、呼吸装置。
【請求項２６】
請求項８から請求項２５のいずれか一項に記載の呼吸装置であって、
前記再呼吸空気チャンバ（１５）は、立方体を形成するべく、一緒に溶着された複数の壁板によって組み立てられる、呼吸装置。
【請求項２７】
請求項８から請求項２６のいずれか一項に記載の呼吸装置であって、
前記再呼吸空気チャンバ（１５）は、立方体（１７）を形成するべく、一緒に溶着された４つの壁板によって組み立てられ、前記４つの壁板の各々は、1つの正方形の壁要素の互いに反対側に配置される２つの三角形の壁要素によって形成される、呼吸装置。
【請求項２８】
請求項１から請求項２７のいずれか一項に記載の呼吸装置であって、
前記複数の細孔及び／若しくは貫通開口部は、前記第１の可撓性の壁部（１０）に等距離に分布する、呼吸装置。
【請求項２９】
請求項１から請求項２８のいずれか一項に記載の呼吸装置であって、
前記細孔及び／若しくは貫通開口部の水力直径は、２ｃｍよりも小さく、前記水力直径は、１０-3ｍよりも小さいなどであり、好ましくは、１８０×１０-6ｍに等しい、若しくは１８０×１０-6ｍよりも小さい、呼吸装置。
【請求項３０】
請求項１から請求項２９のいずれか一項に記載の呼吸装置（１）であって、
前記呼吸開口部（５）は、パイプ、ダクト、若しくは他の接続部のような、好ましくは前記呼吸装置を顔マスクに接続するのに適した接続部を備える、呼吸装置（１）。
【請求項３１】
請求項１から請求項３０のいずれか一項に記載の呼吸装置（１）であって、
前記第１の壁部（３）及び／若しくは第２の壁部（４）は、存在する場合、完全に若しくは部分的に疎水性である、呼吸装置（１）。
【請求項３２】
請求項１から請求項３１のいずれか一項に記載の呼吸装置（１）であって、
前記再呼吸空気チャンバ（１５）は、１リットルと１６リットルとの間の体積を有し、前記体積は、２リットルと８リットルとの間などにあり、好ましくは４リットルと６リットルとの間にある、呼吸装置（１）。
【請求項３３】
請求項１から請求項３２のいずれか一項に記載の呼吸装置（１）であって、
前記第１の壁部（３）及び／若しくは第２の壁部は、ひだをつけるなどで、折りたたみ可能である、呼吸装置（１）。
【請求項３４】
請求項１から請求項３３のいずれか一項に記載の呼吸装置（１）であって、
前記再呼吸空気チャンバ（１５）は、前記再呼吸空気チャンバの幾何形状を変化させることによって、体積的に大きさが調整可能であり、及び／若しくは、前記第１の壁部の透過性は、例えば、細孔及び／若しくは貫通開口部の覆いをとることによって、例えば、前記細孔及び／若しくは貫通開口部を覆うために取り付けられた細片を少なくとも部分的に除去することによって、大きさが調整可能である、呼吸装置（１）。
【請求項３５】
請求項１から請求項３４のいずれか一項に記載の呼吸装置（１）であって、
前記呼吸経路は、少なくとも１．０ｃｍ2の最小断面を有し、前記最小断面は、少なくとも１．５ｃｍ2などであり、好ましくは、少なくとも２．０ｃｍ2である、呼吸装置（１）。
【請求項３６】
請求項１から請求項３５のいずれか一項に記載の呼吸装置（１）であって、
前記第１の壁部（３，１０，１６）若しくは吸い口（２）は、約２ナノメートルと２ミリメートルとの間の、好ましくは２ｍｍを超える、平均的な細孔サイズ及び／若しくは貫通開口部サイズを有する、呼吸装置（１）。
【請求項３７】
請求項１から請求項３６のいずれか一項に記載の呼吸装置（１）であって、
前記細孔及び／若しくは貫通開口部は、レーザ穿孔によって作製される、呼吸装置（１）。
【請求項３８】
請求項１から請求項３７のいずれか一項に記載の呼吸装置（１）であって、
第１の壁部は、２０℃及び標準大気（１０１．３２５ｋＰａ）で決定された標準空気に対する気体透過流速を有し、前記気体透過流速は、少なくとも約０．０００５ｍ3／（秒＊ｍ2＊ｋＰａ）であり、且つ、前記再呼吸空気チャンバの内部と前記周囲大気との間の圧力差は、５パスカルと３５パスカルとの間である、呼吸装置（１）。
【請求項３９】
請求項１から請求項３８のいずれか一項に記載の呼吸装置（１）であって、
前記第１の壁部（３，１０，１６）は重合体膜を備え、前記重合体膜は、好ましくは、ポリテトラフルオロエチレン（ＰＴＦＥ）、パーフルオロアルコキシ（ＰＦＡ）、フッ素化エチレンプロピレン（ＦＥＰ）、ポリビニリデン・ジフルオリド（ＰＶＤＦ）、ポリエチレン（ＰＥ）、ポリプロピレン（ＰＰ）、紙、植物繊維、生分解性材料、及び／若しくは上述の重合体のうちの任意のものを備える組み合わせを備える、呼吸装置（１）。
【請求項４０】
請求項１から請求項３９のいずれか一項に記載の呼吸装置（１）であって、
前記再呼吸空気チャンバ（１５）の少なくとも一部分は折りたためるものではなく、好ましくは、再呼吸空気チャンバ１５の少なくとも一部分は折りたためるものではなく、且つ、前記再呼吸空気チャンバ（１５）の一部分は折りたためるものであり、より好ましくは、前記再呼吸空気チャンバ（１５）は部分的に折りたためるものであり、且つ、前記再呼吸空気チャンバ（１５）の中に入る前記呼吸開口部（５）に近い少なくとも副区画は、折りたためるものではなく、若しくは、前記呼吸開口部（５）から離れた副区画よりは、少なくとも折りたたみにくい、呼吸装置（１）。
【請求項４１】
請求項１から請求項４０のいずれか一項に記載の呼吸装置（１）であって、
前記少なくとも１つの貫通開口部の１つ以上は、バルブ（３８）、好ましくは、開口部を通る気体の流れを調整するための調節可能なバルブを備え付けており、前記調節可能なバルブは、好ましくは自動的に調節される、呼吸装置（１）。
【請求項４２】
請求項１から請求項４１のいずれか一項に記載の呼吸装置（１）であって、
前記再呼吸空気チャンバ（１５）は、圧縮した水を排出するためのバルブを備える、呼吸装置（１）。
【請求項４３】
請求項１から請求項４２のいずれか一項に記載の呼吸装置（１）であって、
前記呼吸装置は、前記呼吸装置の中に組み込まれたＣＯ2感知装置若しくはＯ2感知装置を備え、これらの装置は、吸い込まれた空気及び／若しくは吐き出された空気のＣＯ2レベル及び／若しくはＯ2レベルを測定するように構成される、呼吸装置（１）。
【請求項４４】
請求項１から請求項４３のいずれか一項に記載の呼吸装置（１）であって、
前記呼吸装置は、Ｏ2感知装置を備え、前記Ｏ2感知装置は、ユーザのＯ2レベルを測定することを目的として構成される、呼吸装置（１）。
【請求項４５】
請求項１から請求項４４のいずれか一項に記載の呼吸装置（１）であって、
前記呼吸装置は、前記再呼吸空気チャンバ（１５）から湿気を吸収するように構成された少なくとも１つの湿気吸収要素を備え、前記湿気吸収要素（複数可）は、好ましくは、前記再呼吸空気チャンバ（１５）の中に少なくとも部分的に設置され、より好ましくは、前記湿気吸収要素は、取り外し可能且つ取り替え可能な要素である、呼吸装置（１）。
【請求項４６】
請求項１から請求項４５のいずれか一項に記載の呼吸装置（１）であって、
前記呼吸装置は香り付け装置を備え、前記香り付け装置は、メントールの香りを有するべく香り付けをするなど、前記再呼吸気体の匂いを変化させるように構成される、呼吸装置（１）。
【請求項４７】
請求項１から請求項４６のいずれか一項に記載の呼吸装置（１）であって、
前記第２の壁部（４）及び／若しくは第１の壁部（３）は、前記再呼吸空気チャンバ（１５）から水を排出するように構成された水輸送要素を備え、前記水輸送要素は、ある材料から作製されるか、若しくは、ある材料を備え、前記ある材料は、前記再呼吸空気チャンバ（１５）から前記周囲大気へ、若しくは水収集ユニットへ水を輸送するための通路を提供する、呼吸装置（１）。
【請求項４８】
請求項１から請求項４７のいずれか一項に記載の呼吸装置（１）であって、
小室（９，２１，２２）を更に備え、前記小室（９，２１，２２）の内部には、使用されていない場合、前記吸い口（２）の一部分及び前記再呼吸空気チャンバ（１５）が格納される、呼吸装置（１）。
【請求項４９】
請求項４８に記載の呼吸装置（１）であって、
前記吸い口（２）の前記一部分及び前記再呼吸空気チャンバ（１５）は、前記小室の中で位置変更的に配置されるなど取り替え可能である、呼吸装置（１）。
【請求項５０】
請求項４８若しくは請求項４９に記載の呼吸装置（１）であって、
前記小室（２１）は、蓋のような２つの着脱可能な小室要素（２２）を備え、各々は、前記小室（２１）の端部に位置変更的に配置されるなど取り替え可能であり、前記２つの着脱可能な小室要素は、装置が使用されない場合、前記再呼吸空気チャンバ（１５）若しくは呼吸経路のいずれかへのアクセスを妨げ、前記着脱可能な小室要素（２２）は、位置変更されるなど、取り外される若しくは取り替えられる場合、前記再呼吸空気チャンバ（１５）へのアクセス、及び／若しくは前記呼吸経路（２）へのアクセスを提供するように構成される、呼吸装置（１）。
【請求項５１】
請求項４７から請求項４９のいずれか一項に記載の呼吸装置（１）であって、
前記小室要素（２２）は、使用していない間に、前記再呼吸空気チャンバ（１５）若しくは呼吸経路へのアクセスがある端部に隣接する２つの側（２３）で位置変更されるなどで、取り替えられるように構成され、それによって、使用中に前記呼吸装置をより良く把持することを提供する、呼吸要素（１）。
【請求項５２】
請求項１から請求項５１のいずれか一項に記載の呼吸装置であって、
前記再呼吸空気チャンバ（１５）は、前記吸い口（２）から着脱可能であると共に、前記吸い口（２）に再取り付け可能である、呼吸装置。
【請求項５３】
請求項１から請求項５２のいずれか一項に記載の呼吸装置であって、
前記再呼吸空気チャンバ（１５）に、好ましくは直接流体連通ではなく、取り付けられた安定チャンバ／構造体（１３）を更に備え、前記安定チャンバ／構造体（１３）は、再呼吸の吸い込み段階の間に、前記再呼吸空気チャンバが完全につぶれることを妨げるように構成される、呼吸装置。
【請求項５４】
請求項１から請求項５３のいずれか一項に記載の呼吸装置であって、
前記再呼吸空気チャンバ（１５）は、前記再呼吸空気チャンバの空気を空にするように構成された、１つ以上の放出バルブ（１４）を備える、呼吸装置。
【請求項５５】
請求項１から請求項５４のいずれか一項に記載の呼吸装置であって、
片頭痛の治療に使用するための、呼吸装置。
【請求項５６】
請求項１から請求項５５のいずれか一項に記載の呼吸装置であって、
癲癇の治療に使用するための、呼吸装置。
【請求項５７】
請求項１から請求項５６のいずれか一項に記載の呼吸装置であって、
熱性痙攣の治療に使用するための、呼吸装置。
【請求項５８】
請求項１から請求項５７のいずれか一項に記載の呼吸装置であって、
腰椎穿刺性頭痛の治療に使用するための、呼吸装置。
【請求項５９】
請求項１から請求項５８のいずれか一項に記載の呼吸装置であって、
喘息の予防的治療に使用するための、呼吸装置。
【請求項６０】
請求項１から請求項５９のいずれか一項に記載の呼吸装置であって、心
拍停止の治療に使用するための、呼吸装置。
【請求項６１】
請求項１から請求項６０のいずれか一項に記載の呼吸装置であって、
前記再呼吸空気チャンバは、そのサイズを減少させるべく、折りたたみ可能である、呼吸装置。
【請求項６２】
請求項７から請求項６１のいずれか一項に記載の呼吸装置であって、
前記再呼吸空気チャンバ接続器（２６）は、前記接続器（２６）に配置された多数の平行に伸びる折りたたみ線（３２）を備えることによって、折りたたみ可能であり、これによって、空気呼吸接続器（２６）が、好ましくは直方体である空隙（３３）を定義する配置に折りたたまれることを可能にし、好ましくは、前記呼吸用空気チャンバ接続器（２６）の寸法は、折りたたまれた配置にある場合、前記再呼吸空気チャンバ（１５）の少なくとも一部分が、前記空隙（３３）の内部に収容されるように、選択される、呼吸装置。
【請求項６３】
請求項６２に記載の呼吸装置であって、
前記再呼吸空気チャンバ接続器（２６）は滑動部（２４）を備え、前記滑動部（２４）は、前記滑動部（２４）が一方の側に移動する場合、前記再呼吸空気チャンバ（１５）の中への開口部を提供し、前記滑動部（２４）は、１つ以上の貫通開口部（３０）の覆いをとる、若しくは１つ以上の貫通開口部（３０）を覆うことによって、前記再呼吸空気チャンバ（１５）の中への空気の流れを調節することを目的として構成される、呼吸装置。
【請求項６４】
請求項６２若しくは請求項６３に記載の呼吸装置であって、
前記再呼吸空気チャンバ接続器（２６）は、１つ以上の貫通開口部（２７）を備える、若しくは１つ以上の貫通開口部（２７）を更に備え、前記１つ以上の貫通開口部（２７）は、好ましくはサイズが調節可能ではなく、且つ、前記再呼吸空気チャンバに入る、及び／若しくは前記再呼吸空気チャンバから出る際の、前記周囲大気との流体連通を可能にする、呼吸装置。
【請求項６５】
請求項６２から請求項６４のいずれか一項に記載の呼吸装置であって、
前記再呼吸空気チャンバ接続器（２６）は、細長い展開された要素（３４）を備え、前記細長い展開された要素（３４）は、前記接続器（２６）の表面に沿う折りたたみ線に好ましくは垂直である方向に滑動可能に伸びると共に、１つの端部（３４ａ）で前記接続器（２６）に固定され、その結果として、固定された端部の反対側の端部で前記細長い展開された要素（３４）をユーザが引っ張ることによって、その折りたたまれた配置から前記再呼吸空気チャンバ接続器を展開することを目的として構成される、呼吸装置。
【請求項６６】
請求項６５に記載の呼吸装置であって、
前記再呼吸空気チャンバ接続器（２６）は、前記接続器（２６）上の案内位置に前記細長い展開された要素（３４）を維持する案内要素（３５）を備える、呼吸装置。
【請求項６７】
請求項６５若しくは請求項６６に記載の呼吸装置であって、
前記細長い展開要素（３４）及び／若しくは前記再呼吸空気チャンバ接続器（２６）は、掛け金を備え、前記掛け金は、前記再呼吸空気チャンバ接続器（２６）がその展開された配置にある場合、前記細長い展開要素の位置を掛け金で留めることを目的として構成される、呼吸装置。
【請求項６８】
請求項１から請求項６７のいずれか一項に記載の呼吸装置であって、
前記再呼吸空気チャンバ（１５）は、前記再呼吸空気チャンバの壁部に取り付けられた細片（３７）を備え、前記細片（３７）は、ユーザが、好ましくは折りたたまれた配置から前記再呼吸空気チャンバを展開するべく、前記再呼吸空気チャンバ（１５）を膨張させることを可能にし、その結果として、ユーザが、前記再呼吸空気チャンバの中に空気を吐き出すことを容易にする、呼吸装置。
【発明の詳細な説明】
【技術分野】
【０００１】
本発明は、吸い込まれた空気中のＣＯ2レベルを増加させるための呼吸装置に関する。吸い込まれた空気中のＣＯ2レベルを増加させるための、幾つかの呼吸装置が知られている。そのような装置は、ユーザの口及び鼻を覆う単純なマスク、若しくは、呼吸している間に伸縮可能な袋に接続されたマスクであってもよい。マスクは、バルブ若しくはバルブ類似物を備え付けていてもよく、これによって、新鮮な空気がマスクに入ることが可能となる。
【背景技術】
【０００２】
様々な一般的な医学的障害（それらの中でも、片頭痛、癲癇、腰椎穿刺性頭痛、熱性痙攣、特発性呼吸困難、過呼吸症候群、パニック不安、喘息、及びある心臓病）では、患者によって吸い込まれる空気中のＣＯ2濃度を上げることによって、明確な治療効果を得られることが実証されている。体内では、ＣＯ2濃度を上げることは、他の効果の中でも、体液のｐＨ値を下げ、大脳血流を増やし、且つ神経系の興奮性を下げるであろう。
【発明の概要】
【発明が解決しようとする課題】
【０００３】
本発明の目的は、吸い込まれた空気中のＣＯ2レベルを増加させるための呼吸装置に関して、改善を提供することである。
【０００４】
本発明の別の目的は、１つの装置を提供することであり、前記装置は、片頭痛、腰椎穿刺性頭痛、若しくは他のタイプの頭痛の症状を和らげるかもしれない、又は、片頭痛に苦しむユーザにおける片頭痛の発作を任意選択的に抑える、及び／若しくは防ぐかもしれない。
【０００５】
更なる目的は、１つの装置を提供することであり、前記装置は、癲癇性発作及び／若しくは熱性痙攣を和らげるために、又は防ぐために、使用してもよい。
【０００６】
更なる目的は、１つの装置を提供することであり、前記装置は、喘息の予防的治療のために使用してもよい。
【０００７】
更なる目的は、１つの装置を提供することであり、前記装置は、心拍停止後の回復を改善するために使用してもよい。
【０００８】
更なる目的は１つの装置を提供することであり、前記装置は、ＣＯ2の血管拡張作用によって、大脳血流及び脳への酸素給送を増加させるのに役立つかもしれない。
【０００９】
更なる目的は、１つの装置を提供することであり、前記装置は、使用中に、ユーザの中にアシドーシスを誘発することによって、神経系の興奮性を減少させるかもしれない。これは、吸い込まれたＣＯ2の分圧を増加させることによって仲介されるものである。
【課題を解決するための手段】
【００１０】
本発明は、呼吸装置に関し、前記呼吸装置は、
・吸い口の第１の端部と第２の端部との間の接続部を形成するための呼吸経路を形成する吸い口であって、第１の端部は、ユーザが、呼吸開口部を通して、吸い口の中に息を吹き込むことを目的として構成される、吸い口と、
・吸い口の第２の端部に取り付けられ、それによって、呼吸経路と流体連通している、少なくとも部分的に可撓性の再呼吸空気チャンバであって、再呼吸空気チャンバは、少なくとも部分的に可撓性の壁部（複数可）によって形成され、前記壁部は、前記壁部に設けられた複数の細孔によって、気体に対して透過性である第１の壁部を有する、少なくとも部分的に可撓性の再呼吸空気チャンバと、
を備える。
【００１１】
好ましくは、少なくとも部分的に可撓性の再呼吸チャンバは、前記壁部に設けられた複数の細孔、及び／若しくは貫通開口部のような１つ以上のものによって、気体に対して透過性である第１の壁部を有し、及び／若しくは好ましくは、吸い口は、呼吸経路と前記周囲大気との間の流体連通を可能にする、１つ以上の貫通開口部を備えてもよい。
【００１２】
本発明はまた、吸い込まれた空気の中のＣＯ2レベルを増加させるための、呼吸装置に関する。
【００１３】
再呼吸空気チャンバの壁は、多数の貫通開口部及び／若しくは細孔を有する壁部を更に備えてもよく、ここで多数の貫通開口部及び／若しくは細孔は、気体に対する透過性を提供すると共に、組み合わされて、全体としての流れコンダクタンスＧを有する。壁部材料は、それ自体は気体に対して非透過性であってもよく、且つ、壁部をまたぐ圧力差によって変形可能であり、これによって、実質的な時間で正規化されたコンプライアンスＣを壁部に与える。ここでＣは、壁部をまたぐ圧力差あたり、一秒あたりの、再呼吸チャンバの体積膨張として決定される。
【００１４】
呼吸装置はまた、再呼吸空気チャンバを備えてもよく、ここで再呼吸空気チャンバは、壁部（複数可）に設けられた複数の細孔によって、気体に対して透過性である、少なくとも部分的に可撓性の壁部によって形成される。
【００１５】
呼吸装置はまた、可撓性の壁部によって形成してもよく、ここで可撓性の壁部は、可撓性の壁部に分布する、線若しくは列の形で配置された複数の細孔によって、気体に対して透過性である。
【００１６】
再呼吸空気チャンバの形は、好ましくは、直方体のような立方体、回転楕円体のような球体、袋タイプ、実質的に四面体のような四面体、実質的にピラミッドのような四角ベースのピラミッド、実質的に八面体のような八面体、実質的にプリズムのような六辺形プリズム、実質的に十二面体のような十二面体、円筒形、若しくは楕円柱、を備えるグループから選択される。
【００１７】
次のことを観察されたい。即ち、再呼吸空気チャンバの可撓性のせいで、その形状は、内部と外部との間の圧力差によって、わずかに変動し、それによって、例えば、立方体は直方体に変形されることが可能であり、その場合、立方体の縁部は、壁板の丸みのせいで、ある程度無くなる、ということである。
【００１８】
本発明の別の実施形態では、再呼吸空気チャンバは、立方体のような直方体の形であってもよく、ここで前記直方体は、それぞれが立方体の面を定義する６つの壁部を備える。６つの壁部のうちの５つは、好ましくは、第１の可撓性の壁部タイプによって形成され、且つ６つの壁部のうちの１つは、第２の可撓性の壁部タイプによって形成される。第２の可撓性の壁部タイプは、気体に対して非透過性であり、且つ第１の壁部タイプは、透過性の部分を備えてもよいか、又は、可撓性の第１の壁部タイプの中に分布する、好ましくは線若しくは列の形で配置された複数の細孔によって、気体に対して透過性であってもよい。
【００１９】
第１の壁部及び第２の壁部は、気体に対して非透過性であってもよい。
【００２０】
可撓性の第１の壁部タイプの透過性部分は、１０-2ｍよりも小さな厚さを有してもよく、前記厚さは、１０-3ｍよりも小さいなどであり、好ましくは、２０×１０-6ｍに等しいか、若しくは２０×１０-6ｍに満たない。
【００２１】
可撓性の第１の壁部は、非透過性の部分を更に備えてもよく、ここで前記非透過性の部分は、１０-2ｍよりも小さな厚さを有し、前記厚さは、１０-3ｍよりも小さいなどであり、好ましくは、４０×１０-6ｍに等しいか、若しくは４０×１０-6ｍに満たない。
【００２２】
非透過性の第２の可撓性の壁部タイプは、１０-2ｍよりも小さな厚さを有してもよく、前記厚さは、１０-3ｍよりも小さいなどであり、好ましくは、４０×１０-6ｍに等しいか、若しくは４０×１０-6ｍに満たない。
【００２３】
本発明の別の実施形態では、再呼吸空気チャンバは、可撓性の壁部の上に／中に配置された呼吸経路を更に備えてもよく、これによって、使用中、再呼吸空気チャンバに入る、及び／若しくは再呼吸空気チャンバから出る際の、ユーザの口との流体連通を可能にする。
【００２４】
呼吸経路は、少なくとも１つの貫通開口部を有してもよく、これによって、呼吸装置に入る、及び／若しくは呼吸装置から出る際の、周囲大気との流体連通を可能にする。
【００２５】
好ましくは、貫通開口部の１つ以上は、再閉止可能である、及び／若しくは調節可能である。
【００２６】
貫通開口部は、２つの平行な長手方向の壁部の間に配置された滑動部によって設けられた、開口部の形をしていてもよい。滑動部が、２つの平行な長手方向の壁部の間の一方の側に移動する場合、滑動部は、呼吸経路の中への開口部を提供する。滑動部は、好ましくは、前記再呼吸空気チャンバの中への空気の流れを調節するために、構成される。
【００２７】
呼吸経路は、２つの平行な長手方向の壁部を更に備えてもよく、ここで前記壁部は、呼吸経路を通って、呼吸方向に対して垂直な方向に突出しており、その間の距離は３ｃｍ未満、２ｃｍ未満などであり、好ましくは１ｃｍ未満である。２つの平行な長手方向の壁部は、指で呼吸装置を保持している間に、ユーザが指で貫通開口部を塞ぐことを妨げるように構成してもよい。貫通開口部は、好ましくは、２つの平行な長手方向の壁部の間に配置される。
【００２８】
本発明の別の実施形態では、呼吸空気チャンバは、１つ以上の再閉止可能な開口部、及び／若しくは調節可能な開口部を備え、好ましくは、滑動部が、２つの平行な長手方向の壁部の間に配置される。滑動部は、好ましくは、可撓性の壁部の上に配置され、滑動部が２つの平行な長手方向の壁部の間の一方の側に移動する場合、滑動部は、呼吸空気チャンバの中への開口部を提供する。滑動部は、周囲大気から再呼吸空気チャンバの中への空気の流れを調節することを目的として、構成してもよい。
【００２９】
可撓性の壁部は、好ましくは、ひだをつけるなどによって、折りたたみ可能である。
【００３０】
再呼吸空気チャンバは、立方体を形成するべく一緒に溶着された複数の壁要素によって、組み立ててもよい。
【００３１】
再呼吸空気チャンバはまた、立方体を形成するべく一緒に溶着された４つの壁要素によって、組み立ててもよく、４つの壁要素の各々は、1つの正方形の壁要素の互いに反対側に配置される２つの三角形の壁要素によって形成される。
【００３２】
複数の細孔は、可撓性の壁部（複数可）の中に等距離に分布していてもよい。
【００３３】
好ましくは、前記細孔の水力直径は、１０-2ｍよりも小さく、前記水力直径は、１０-3ｍよりも小さいなどであり、好ましくは、１８０×１０-6ｍに等しいか、若しくは１８０×１０-6ｍよりも小さい。他の実施形態では、水力直径は、１００×１０-6ｍと２ｃｍとの間で選択され、前記水力直径は、貫通開口部あたり、１００×１０ｃｍ-6ｍと３ｃｍとの間にあるなどである。
【００３４】
呼吸開口部は、パイプ、ダクト、若しくは他の接続部のような、呼吸装置を顔マスクに接続するのに適した接続部を備えてもよい。
【００３５】
第１の壁部及び／若しくは第２の壁部は、好ましくは、完全に若しくは部分的に疎水性である。
【００３６】
再呼吸空気チャンバは、１リットルと１６リットルとの間の体積を有してもよく、前記体積は、２リットルと８リットルの間などにあり、好ましくは４リットルと６リットルとの間にある。
【００３７】
第１の壁部及び／若しくは第２の壁部は、ひだをつけるなどで、折りたたみ可能であってもよい。
【００３８】
再呼吸空気チャンバは、第１の壁部の幾何形状を変化させることによって、大きさが調整可能であってもよい。
【００３９】
呼吸経路は、好ましくは、少なくとも１．０ｃｍ2の断面を有し、前記断面は、少なくとも１．５ｃｍ2などであり、好ましくは少なくとも２．０ｃｍ2である。呼吸経路は、複数の経路によって形成してもよい。
【００４０】
好ましくは、第１の壁部は、約２ナノメートルと２ミリメートルとの間の平均細孔サイズを有する。
【００４１】
細孔は、好ましくは、レーザ穿孔によって作製してもよい。
【００４２】
透過性材料及び／若しくは多孔質材料は、２０℃及び標準大気（１０１．３２５ｋＰａ）で決定された標準空気に対する気体透過流速を有してもよく、そこでは、気体透過流速は、好ましくは、本明細書で開示されるような圧力差において、少なくとも約０．０００５ｍ3／（秒＊ｍ2＊ｋＰａ）である。
【００４３】
透過性材料は重合体膜を備え、前記重合体膜は、好ましくは、ポリテトラフルオロエチレン（ＰＴＦＥ）、パーフルオロアルコキシ（ＰＦＡ）、フッ素化エチレンプロピレン（ＦＥＰ）、ポリビニリデン・ジフルオリド（ＰＶＤＦ）、ポリエチレン（ＰＥ）、ポリプロピレン（ＰＰ）、紙、植物繊維、及び／若しくは前述の重合体のうちのいずれかを備える組み合わせを備える。
【００４４】
好ましくは、再呼吸空気チャンバの少なくとも一部分は折りたためない。好ましくは、再呼吸空気チャンバの少なくとも一部分は折りたためず、且つ、再呼吸空気チャンバの少なくとも一部分は折りたためる。より好ましくは、再呼吸空気チャンバは、部分的に折りたため、且つ、再呼吸空気チャンバの中への呼吸開口部に最も近い少なくとも副区画は、折りたためないか、若しくは、呼吸開口部から離れた副区画よりは、少なくとも折りたたみにくい。
【００４５】
呼吸装置は、好ましくは吸い口に設けられた少なくとも１つの貫通開口部を備えてもよく、これによって、呼吸装置に入る、及び／若しくは呼吸装置から出る際の、周囲大気との流体連通を可能にする。
【００４６】
好ましくは、少なくとも１つの貫通開口部の１つ以上にはバルブが備え付けられ、ここで前記バルブは、好ましくは、隙間を通して気体の流れを調整するための、調節可能なバルブである。調節可能なバルブは、手動及び／若しくは自動で調節してもよい。
【００４７】
再呼吸空気チャンバは、圧縮した水を排出するためのバルブを備えてもよい。
【００４８】
呼吸デバイスは、ＣＯ2若しくはＯ2の感知装置を備えてもよく、前記感知装置は、吸い込まれた空気及び／若しくは吐き出された空気のＣＯ2レベル及び／若しくはＯ2レベルを測定するように構成される。
【００４９】
呼吸装置は、少なくとも１つの湿気吸収要素を備えてもよく、前記湿気吸収要素は、再呼吸空気チャンバから湿気を吸収するように構成される。湿気吸収要素（複数可）は、好ましくは、再呼吸空気チャンバの中に少なくとも部分的に設置される。湿気吸収要素は、取り外し可能且つ取り替え可能な要素であってもよい。
【００５０】
呼吸装置は香り付け装置を備えてもよく、ここで前記香り付け装置は、メントールの香りを有するべく、香り付けするようなものであり、再呼吸気体の匂いを変化させるように構成される。
【００５１】
第１及び／若しくは第２の壁部は、水輸送要素を備えてもよく、前記水輸送要素は、再呼吸空気チャンバから水を排出するように構成される。水輸送要素は、好ましくは、ある材料でできているか、若しくはある材料を備え、前記材料は、再呼吸空気チャンバから、周囲大気へ若しくは水収集ユニットへ、水を輸送するための経路を提供する。
【００５２】
呼吸装置は、小室を更に備えてもよく、前記小室の内部には、使用していない場合、吸い口及び再呼吸空気チャンバが格納される。
【００５３】
吸い口及び再呼吸空気チャンバは、好ましくは、小室の中で／上で及び／若しくは位置変更的に取り替え可能である、及び／若しくは位置変更的に配置される。
【００５４】
小室は、好ましくは、蓋のような２つの着脱可能な小室要素を備え、各々は、小室の端部に着脱可能に取り付けられる。２つの着脱可能な小室要素は、装置が使用されない場合、再呼吸空気チャンバ若しくは呼吸経路のいずれかへのアクセスを妨げてもよい。着脱可能な小室要素は、取り外された場合、再呼吸空気チャンバ及び／若しくは呼吸経路へのアクセスを提供するように構成してもよい。
【００５５】
小室要素は、使用していない間、再呼吸空気チャンバ若しくは呼吸経路のいずれかへのアクセスがある場合に、好ましくは、端部に隣接する２つの側面に取り付けられることを目的として構成してもよく、その結果として、使用の際、呼吸装置に対するより良い把持を提供する。
【００５６】
好ましくは、再呼吸空気チャンバは、吸い口から着脱可能であると共に、吸い口に対して再取り付け可能である。
【００５７】
呼吸装置は、安定チャンバ／構造体を更に備えてもよく、ここで前記安定チャンバ／構造体は、再呼吸空気チャンバに取り付けられ（しかし、好ましくは、再呼吸空気チャンバと直接に流体連通していない）、再呼吸の吸い込み段階の間、再呼吸空気チャンバ若しくは吸い口がつぶれるのを妨げるように構成される。
【００５８】
呼吸装置はまた、１つ以上の放出バルブを備えてもよく、前記放出バルブは、再呼吸空気チャンバの空気を空にするように構成される。
【００５９】
呼吸装置は、片頭痛の治療に使用してもよい。
【００６０】
呼吸装置は、癲癇の治療に使用してもよい。
【００６１】
呼吸装置は、熱性痙攣の治療に使用してもよい。
【００６２】
呼吸装置は、喘息の予防的治療に使用してもよい。
【００６３】
呼吸装置は、心拍停止後の治療／回復に使用してもよい。
【００６４】
呼吸装置は、腰椎穿刺性頭痛の治療に使用してもよい。
【００６５】
再呼吸空気チャンバは、好ましくは、そのサイズを低減させるべく、折りたたみ可能である。
【００６６】
更なる態様では、本発明は、本明細書で提示されるような再呼吸空気チャンバ接続器を備える呼吸装置に関し、これは、再呼吸空気チャンバを吸い口それ自体に接続するための再呼吸空気チャンバ接続器であるか、若しくは、再呼吸空気チャンバが吸い口を形成する場合の、再呼吸空気チャンバのための再呼吸空気チャンバ接続器である。そのような態様では、再呼吸空気チャンバ接続器は、好ましくは、前記接続器に配置された、数多くの、好ましくは平行に伸びる折りたたみ線を備えることによって、折りたたみ可能であり、その結果として、空気呼吸接続器は、好ましくは、直方体である空隙を定義する配置に折りたたまれることが可能である。呼吸空気チャンバ接続器の寸法は、好ましくは、折りたたまれた配置にある場合、そのような全ての再呼吸空気チャンバの少なくとも一部分、好ましくはほとんどが、空隙の内部に収容されるように、選択される。空隙の内部に収容される場合、再呼吸空気チャンバは折りたたまれている、ことに注意されたい。
【００６７】
好ましくは、そのような再呼吸空気チャンバ接続器は、好ましくは滑動部を備えてもよく、ここで前記滑動部は、前記滑動部が一方の側へ移動した場合、前記再呼吸空気チャンバの中への開口部を提供し、前記滑動部は、好ましくは、１つ以上の貫通開口部の覆いをとること、若しくは前記貫通開口部を覆うことによって、前記再呼吸空気チャンバの中への空気の流れを調節することを目的として構成される。
【００６８】
好ましくは、そのような再呼吸空気チャンバ接続器は、１つ以上の貫通開口部を備えてもよく、若しくは、好ましくは１つ以上の貫通開口部を更に備えてもよく、ここで前記１つ以上の貫通開口部は、好ましくはサイズにおいて調節可能でなく、且つ、再呼吸空気チャンバに入る、及び／若しくは再呼吸空気チャンバから出る際の、周囲大気との流体連通を可能にする。好ましくは、そのような空気チャンバ接続器は、好ましくは細長い展開要素３４を備えてもよく、ここで前記細長い展開要素は、前記接続器の表面に沿って、好ましくは折りたたみ線に垂直である方向に滑動可能に伸びると共に、１つの端部で前記接続器に固定され、その結果として、前記細長い展開要素は、ユーザが、固定されている端部とは反対側の端部で、細長い展開要素を引っ張ることによって、再呼吸空気チャンバ接続器を、その折りたたまれた配置から展開することを目的として構成される。
【００６９】
好ましくは、そのような再呼吸空気チャンバ接続器は、前記接続器上の案内位置に、好ましくは細長い展開要素を維持する案内要素を備えてもよい。
【００７０】
好ましくは、そのような細長い展開要素及び／若しくはそのような再呼吸空気チャンバ接続器は、好ましくは掛け金を備えてもよく、ここで前記掛け金は、前記再呼吸空気チャンバ接続器がその展開された配置にある場合、細長い展開要素の位置に掛け金をかけることを目的として構成される。
【００７１】
好ましくは、再呼吸空気チャンバは、再呼吸空気チャンバの壁部に取り付けられたつまみのような細片を備えてもよく、これによって、ユーザは、折りたたまれた配置から、好ましくは再呼吸空気チャンバを展開するべく、再呼吸空気チャンバを膨張させることが可能であり、その結果として、ユーザは、再呼吸空気チャンバの中に空気を吐き出すことが容易になる。
【００７２】
本発明の個々の態様は、他の態様のいずれかと、それぞれ組み合わせてもよい。本発明のこれらの態様及び他の態様は、説明された実施形態を参照することで、次の説明から明らかとなるであろう。
【００７３】
本文脈では、数多くの用語が、当業者にとっては普通であるやり方で使用される。しかしながら、これらの用語の幾つかは、以下で明らかにされる。
【００７４】
再呼吸空気チャンバは、好ましくは、呼吸装置の袋を意味する／表すために使用される。
【００７５】
ＲＢＲは、再呼吸比を意味する／表すために使用される。再呼吸比は、比Ａ／Ｂであり、ここでＡは、以前に吐き出された気体で構成される、吸い込まれた空気流量の部分集合であり、そしてＢは、吸い込まれた空気流量の合計である。
【００７６】
第１の壁部は、好ましくは、再呼吸空気チャンバの一部を意味する／表すために使用され、ここで第１の壁部は、気体に対して透過性であり、且つ、コンダクタンスＧを有する。
【００７７】
第２の壁部は、好ましくは、再呼吸空気チャンバの一部分を意味する／表すために使用され、ここで第２の壁部は、気体に対して非透過性であり、且つ、コンプライアンスＣを有する。
【００７８】
Ｇは、好ましくは、ＲＣの壁部（複数可）のコンダクタンスを意味する／表すために使用され、即ち、壁部をまたぐ圧力差あたり、一秒あたりの、壁部を通る体積流量である。
【００７９】
Ｃは、好ましくは、ＲＣの壁部（複数可）の時間で正規化されたコンプライアンスを意味する／表すために使用され、即ち、壁部をまたぐ圧力差あたり、一秒あたりの、再呼吸チャンバの体積膨張である。
【００８０】
ＶＤＡは、好ましくは、体内の解剖学上の空所を意味する／表すために使用される。
【００８１】
ＶＤＤは、好ましくは、呼吸装置の吸い口の剛体の空所を意味する／表すために使用される。
【００８２】
ＰACO2は、好ましくは、ＣＯ2の平均肺胞分圧を意味する／表すために使用される。
【００８３】
ＰaCO2は、好ましくは、ＣＯ2の動脈分圧を意味する／表すために使用される。
【００８４】
ＦICO2は、好ましくは、肺に対する吸い込まれたＣＯ2割合を意味する／表すために使用される。
【００８５】
ＶA＿ｄｏｔは、好ましくは、肺の肺胞腔への、新鮮な空気の一分あたりの給送を意味する／表すために使用される。
【００８６】
滑動部は、好ましくは、呼吸装置の中に開口部を設けるために構成された壁要素を意味する／表すために使用される。滑動部は、回転バルブのような、他の形状を有してもよい。
【００８７】
部分的に可撓性であることは、好ましくは、再呼吸空気チャンバを形成する壁の少なくとも一部分は可撓性であり、これに対して、別の部分は非可撓性である、ということを意味する。
【００８８】
図は、本発明を履行する１つの方法を示しており、且つ、添付された一揃いの請求項の範囲内に入る、他の可能な実施形態を制限するものと解釈されるべきではない。
【図面の簡単な説明】
【００８９】
【図１】再呼吸空気チャンバ及び吸い口から構成される呼吸装置を例示したものである。
【図２】呼吸装置における流れの概念図を例示したものである。
【図３】ＶE＿ｄｏｔ（一分あたりの全換気）の関数として、ＶA＿ｄｏｔ（肺の肺胞腔への新鮮な空気の給送）を例示したものである。
【図４】ＲＢＲ（再呼吸比）の関数として、ＰaCO2（ＣＯ2の動脈分圧）を例示したものである。
【図５】再呼吸空気チャンバ及び吸い口を格納可能な小室を例示したものである。
【図６】再呼吸空気チャンバ及び吸い口が展開されたバージョンで示されている小室を例示したものである。
【図７】呼吸装置の一実施形態を例示したものであり、前記実施形態では、再呼吸空気チャンバの壁全体は、均等に分布した同じ孔があけられた材料から成る。
【図８】呼吸装置の一実施形態を例示したものであり、前記実施形態では、再呼吸空気チャンバの壁は、２つの線の形で配置された細孔による孔があけられている。
【図９】構造安定チャンバ及び一方向放出バルブを備える呼吸装置の一実施形態を例示したものである。
【図１０】呼吸装置の一実施形態を例示したものであり、前記実施形態では、再呼吸空気チャンバは立方体の形をしている。
【図１１】呼吸装置の一実施形態を例示したものであり、前記実施形態では、再呼吸空気チャンバは、立方体の形をしており、且つ、可撓性の壁部に受け口及び滑動部を備える。
【図１１ａ】呼吸装置の一実施形態を例示したものであり、前記実施形態では、再呼吸空気チャンバは、立方体の形をしており、且つ、可撓性の壁部に受け口及び再閉止可能な開口部を備える。
【図１２】滑動部及び貫通開口部を備える吸い口を模式的に例示したものである。
【図１３】小室を模式的に例示したものであり、前記小室には、使用していない間、再呼吸空気チャンバ及び吸い口が格納される。この図では、吸い口は展開されたバージョンで示されている。
【図１４】使用していない間、再呼吸空気チャンバ及び吸い口が格納される小室を模式的に例示したものである。図１３では、小室要素が取り付けられている蝶番と共に、吸い口が展開されたバーションで示されている。
【図１５】呼吸装置の一実施形態を例示したものであり、前記実施形態では、再呼吸空気チャンバは、立方体の形をしており、且つ、吸い口と、吸い口における静的な貫通開口部はもちろんのこと、吸い口においてバルブの形をした再閉止可能な開口部と、を備える。
【図１６】本発明の一態様を例示したものであり、前記態様によれば、再呼吸空気チャンバ接続器は、好ましくは、その折りたたまれた状態で再呼吸空気チャンバを収容するべく、折りたたみ可能である。
【図１７】ＲＢＲ（再呼吸比）を測定するために使用可能である実験構成を例示したものである。
【発明を実施するための形態】
【００９０】
呼吸装置１を例示する図１を参照する。呼吸装置は吸い口２を備え、吸い口２は、吸い口２の第１の端部と第２の端部との間の接続部を形成するべく、呼吸経路を形成する。第１の端部は、ユーザが、呼吸開口部５を通して、吸い口の中に息を吹き込むことを目的として構成される。呼吸開口部５は、パイプ、ダクト、若しくは他の接続部のような、呼吸装置を顔マスクに接続するのに適した接続部を備える。吸い口２は、好ましくは、ユーザの口に係合するべく適合しており、それで、ユーザは、吸い口２の中に息を吹き込む。しかしながら、吸い口はまた、ユーザの口と付加的な接続器との間の中間物として使用してもよく、ここで付加的な接続器は、吸い口２に接続される顔マスクのようなものである。
【００９１】
呼吸装置の一実施形態は、少なくとも部分的に可撓性の再呼吸空気チャンバ１５を備える。再呼吸空気チャンバ１５は、吸い口の第２の端部に取り付けられ、これによって、呼吸経路と流体連通している。再呼吸空気チャンバは、少なくとも部分的に可撓性の壁部（複数可）によって形成され、ここで前記壁部は、壁部に設けられた複数の細孔及び／若しくは貫通開口部２７のような、１つ以上の孔によって気体に対して透過性である、少なくとも第１の壁部３、１０、１１、１６、２８を有し、及び／若しくは、吸い口２は、呼吸経路と周囲大気との間の流体連通を可能にする、１つ以上の貫通開口部１９、３５を備える。複数の細孔は、少なくとも部分的に可撓性の壁部（複数可）の中に等距離に分布している。細孔の水力直径は、２ｃｍよりも小さく、前記水力直径は、１０-2ｍよりも小さい、１０-3ｍよりも小さいなどであり、好ましくは１８０×１０-6ｍに等しい、若しくは１８０×１０-6ｍよりも小さい。
【００９２】
呼吸装置の別の実施形態は、再呼吸空気チャンバ１５を備える。再呼吸空気チャンバは、吸い口の第２の端部に取り付けられ、これによって、呼吸経路と流体連通している。再呼吸空気チャンバ１５は、壁部３に多数の孔を備え、これらの孔は、気体に対して透過性であり、且つ、結合コンダクタンスＧ（即ち、壁部をまたぐ圧力差あたり、一秒あたりの、壁部を通る体積流量の尺度）を有する。壁部３の材料は、気体に対して非透過性であり（即ち、気体は、部分３での孔を通してのみ流れることが可能であり、且つ、材料を通して拡散しない）、壁部は、時間で正規化されたコンプライアンスＣを有する（時間で正規化されたコンプライアンスは、壁部をまたぐ圧力差あたり、一秒あたりの、再呼吸チャンバの体積膨張の尺度である）。Ｃ値及び、調節可能なＧ値の範囲を有する装置を設計することは望ましく、その結果として、ある与えられたユーザ（装置を使用する際、一回呼吸量、呼吸リズム及びＶRC,EIの個々の値を有する）は、０．５と０．９５との間など、０．５と０．９との間のＲＢＲを得るであろう。
【００９３】
呼吸装置の別の実施形態では、再呼吸空気チャンバは、空気に対して透過性である第１の壁部３と、空気に対して非透過性である第２の壁部４と、を備える。
【００９４】
再呼吸空気チャンバ１５は、可撓性の壁部３及び／若しくは可撓性の第２の壁部によって形成してもよく、これらの壁部は、壁部３に設けられた複数の細孔及び／若しくは貫通開口部によって、気体に対して透過性である。再呼吸装置のこの実施形態は、図７に例示されている。細孔及び／若しくは貫通開口部は、再呼吸空気チャンバから周囲大気までの流体連通を提供する。
【００９５】
本発明の別の実施形態では、再呼吸チャンバ１５は、可撓性の壁部１１によって形成してもよく、ここで可撓性の壁部１１は、可撓性の壁部１１に分布する、線若しくは列の形で配置された複数の細孔及び／若しくは貫通開口部によって、気体に対して透過性である。この実施形態は、図８に例示される。図８は、呼吸装置の一実施形態を例示するが、前記実施形態では、細孔及び／若しくは貫通開口部が、可撓性の壁部１１に２つの線の形で配置される。しかしながら、可撓性の壁部は、１つの線の細孔及び／若しくは貫通開口部を備えてもよく、又は、２つ以上の線の細孔及び／若しくは貫通開口部を備えてもよい。図８に示されるように、線は、可撓性の壁部１１に、長手方向若しくは横方向に（図示せず）配置してもよい。
【００９６】
本発明の別の実施形態では、呼吸装置は、再呼吸空気チャンバ接続器２６を更に備える。接続器２６は、
・顔マスク若しくは前記吸い口２を再呼吸空気チャンバ１５に接続することを目的として、又は、
・前記接続器２６が吸い口２を形成するように、
構成される。
【００９７】
接続器の少なくとも一部分２８は、第１の壁部及び／若しくは第２の壁部の、少なくとも一部分を形成する。再呼吸空気チャンバ接続器２６は、再呼吸空気チャンバ１５に入る、及び／若しくは再呼吸空気チャンバ１５から出る際の、ユーザの息との流体連通を可能にする。
【００９８】
再呼吸空気チャンバ１５は、次の形の１つによって形成してもよい。即ち、直方体のような立方体、回転楕円体のような球体、袋タイプ、実質的に四面体のような四面体、実質的にピラミッドのような四角ベースのピラミッド、実質的に八面体のような八面体、実質的にプリズムのような六辺形プリズム、実質的に十二面体のような十二面体、円筒形、若しくは楕円柱の１つによって、形成してもよい。基本的な考えは、呼吸経路から、再呼吸空気チャンバの壁上の任意の点までの距離を最小にすることである。再呼吸空気チャンバの壁上の全ての点までの最小距離のための構築をしないことによって、吸い込み中に吸い口２の第２の端部上で袋がつぶれることを回避するために、支持構造体を適切な場所に設置しなければならない。
【００９９】
本発明の別の実施形態では、再呼吸空気チャンバ１５の形は、上述の形状の任意のものに従って選択される。再呼吸空気チャンバは壁板を備え、各壁板は、再呼吸空気チャンバの面を定義する。壁板の１つ以上及び／若しくは壁板の１つの少なくとも一部分は、第１の可撓性の壁部を形成し、且つ壁板の少なくとも１つは、第２の可撓性の壁部１８の少なくとも一部分を形成する。第１の壁部は、好ましくは、透過性部分を備えるか、又は、可撓性の第１の壁部に分布する、好ましくは線若しくは列の形で配置された複数の細孔及び／若しくは貫通開口部によって、気体に対して透過性である。
【０１００】
図１０では、再呼吸空気チャンバ１５は、直方体のような立方体の形で模式的に例示されている。直方体形状のような立方体は、ユーザが再呼吸空気チャンバを膨らませる場合に形成される。
【０１０１】
別の実施形態では、そこでは、再呼吸空気チャンバは、直方体のような立方体の形をしているが、壁板の１つ以上は、第１の可撓性の壁部及び第２の可撓性の壁部を備える。壁板及び／若しくは壁部は、４ｍｍよりも小さな厚さを有してもよく、前記厚さは、２ｍｍよりも小さいなど、１ｍｍよりも小さいなどである。
【０１０２】
別の実施形態（図に示されていない）では、第１の壁部１６及び第２の壁部１８は、気体に対して非透過性であってもよい。呼吸装置のこの実施形態では、吸い口２に配置された貫通開口部１９が必要である。
【０１０３】
本発明の実施形態では、そこでは、再呼吸空気チャンバは、図１０及び図１１に例示されるように、立方体の形をしているが、可撓性の第１の壁部タイプ１６の透過性部分は、好ましくは、１０-2ｍよりも小さな厚さを有し、前記厚さは、１０-3ｍよりも小さいなどであり、好ましくは、２０×１０-6ｍに等しいか、若しくは２０×１０-6ｍに満たない。可撓性の第１の壁部タイプ１６は、非透過性部分を更に備えてもよく、前記非透過性部分は、１０-2ｍよりも小さな厚さを有し、前記厚さは、１０-3ｍよりも小さいなどであり、好ましくは、４０×１０-6ｍに等しいか、若しくは４０×１０-6ｍ満たない。非透過性の第２の可撓性壁部タイプ１８は、１０-2ｍよりも小さな厚さを有してもよく、前記厚さは、１０-3ｍよりも小さいなどであり、好ましくは、４０×１０-6ｍに等しいか、若しくは４０×１０-6ｍに満たない。
【０１０４】
再呼吸空気チャンバは、透過性であってもよい、若しくは非透過性であってもよい。
【０１０５】
第２の壁部１８（そこには呼吸経路が配置される）は、第１の壁部１６より厚くてもよく、その結果として、壁部１８が使用下でつぶれないこと、及び、これによって、再呼吸空気チャンバから呼吸経路までの流体の流れを妨げないことを保証する。
【０１０６】
図１０及び図１１に例示される呼吸装置の実施形態は、再呼吸空気チャンバ接続器２６に配置された呼吸経路を更に備えてもよく、これによって、使用中に、再呼吸空気チャンバ１５に入る、及び／若しくは再呼吸空気チャンバ１５から出る際の、ユーザの口との流体連通を可能にする。呼吸経路は、パイプ、ダクト、若しくは他の接続部のような、呼吸装置を顔マスクに接続するのに適した接続部を接続することを目的として、構成してもよい。この構成は、再呼吸空気チャンバ１５が、完全に非透過性であることを可能にする。しかしながら、本発明の別の実施形態では、再呼吸空気チャンバ１５が部分的に透過性である状態で、同じ構成を使用することが可能である。
【０１０７】
呼吸経路は、少なくとも１つの貫通開口部１９を更に備えてもよく、これによって、図１０及び図１１に示されるように、呼吸装置に入る、及び／若しくは呼吸装置から出る際の、周囲大気との流体連通が可能になる。これらの貫通開口部は、例えばバルブ機構によって、再閉止可能であり、及び／若しくは、サイズの調節が可能であり、それで、ユーザは、貫通開口部の幾つかを手動で開閉することによって、呼吸装置に入る、及び／若しくは呼吸装置から出る空気の流れを調節することが可能である。呼吸経路に設けられた貫通開口部３０は、滑動部２４によって覆ってもよく、ここで滑動部は、図１０若しくは図１１に例示されるように、２つの平行な長手方向の壁部２５の間に配置されている。滑動部２４が、２つの平行な長手方向の壁部２５の間で直動的に移動する場合、滑動部は、呼吸経路２の中への貫通開口部３０を提供する。ユーザは、一方の側へ滑動部をある距離だけ移動させることによって、再呼吸空気チャンバ１５の中への空気の流れを調節してもよい。
【０１０８】
呼吸経路は、図１２に示されるような、２つの平行な長手方向の壁部２０を更に備えてもよく、ここで前記壁部２０は、呼吸経路まで、呼吸方向に対して垂直な方向に突出している。２つの平行な長手方向の壁部の間の距離は、好ましくは３ｃｍ未満であり、前記距離は、２ｃｍ未満などであり、好ましくは１ｃｍ未満である。２つの平行な壁部２０のこの配置は、呼吸装置を指で保持している間に、ユーザが指で貫通開口部を塞ぐことを妨げる。貫通開口部１９は、２つの平行な長手方向の壁部２０の間に配置される。２つの平行な長手方向の壁部は、呼吸装置に入る、及び／若しくは呼吸装置から出る空気の流れを、ユーザが塞ぐことを妨げるための安全機能である。
【０１０９】
本発明の別の実施形態では、再呼吸空気チャンバは、再呼吸空気チャンバ接続器２６の上に配置された、調節可能でない貫通開口部２７を備え、これによって、再呼吸空気チャンバに入る、及び／若しくは再呼吸空気チャンバから出る際の、周囲大気との流体連通を可能にする。
【０１１０】
図１１は、本発明の一実施形態を例示し、そこでは、呼吸空気チャンバ１５は受け口２９を備え、前記受け口２９は、再呼吸空気チャンバを吸い口へ接続することを目的として構成されるが、その一方で、再呼吸空気チャンバに入る、及び／若しくは再呼吸空気チャンバ出る際の流体連通を可能にし、且つ、１つ以上の再閉止可能な開口部、及び／若しくは調節可能な開口部は、好ましくは、２つの平行な長手方向の壁部２５の間に配置された滑動部２４を備える。滑動部は、可撓性の壁部１８上に配置され、且つ、前記滑動部２４が、２つの平行な長手方向の壁部２５の間の一方の側に移動する場合、滑動部は、呼吸空気チャンバ１５の中への開口部を提供する。滑動部２４は、前記呼吸空気チャンバ１５の中への空気流を調節することを目的として構成される。受け口２９は、再呼吸空気チャンバ接続器２６の一部分であり、且つ、顔マスク若しくは吸い口につながることを目的として構成される。再呼吸空気チャンバ接続器２６は、再呼吸空気チャンバ１５と吸い口との間の中間物である。永続的に若しくは一時的に、接着剤若しくは溶着を用いて、再呼吸袋に接続される。再呼吸空気チャンバ接続器２６は、スナップ錠によって再呼吸空気チャンバに接続される。再呼吸空気チャンバ接続器２６は、ＰＰ、ＰＥ、若しくは生分解性材料で作製してもよい。接続器は、折りたたむこと、若しくは巧みに操作することが可能であり、その結果として、接続器は、再呼吸空気チャンバを、コンパクトな方法で保持することが可能である。このことは、接続器２６が、再呼吸空気チャンバのための、それ自身が包装物として使用され得ることを意味する。
【０１１１】
本発明のこの実施形態では、呼吸経路／吸い口及び滑動部は、図１１に示されるように、可撓性の壁部１８の上に、互いに対して独立に配置される。本発明の別の実施形態では、受け口２９は吸い口２を形成し、それで、ユーザは、吸い口を通して、再呼吸空気チャンバの中に息を吹き込んでもよい。
【０１１２】
図１１ａに例示されるように、再呼吸空気チャンバ接続器２６は、調節可能でない貫通開口部２７を備え、ここで貫通開口部２７は、再呼吸空気チャンバに入る、及び／若しくは再呼吸空気チャンバから出る際の、周囲大気との流体連通を可能にする。貫通開口部１９、２７は、再呼吸空気チャンバから出ていく流体を、ユーザの顔から遠ざけるように向けることを目的として構成される。
【０１１３】
図では、貫通開口部１９、２７は、円形若しくは丸みのある形状を有するものとして例示されているが、しかしながら、貫通開口部１９、２７は、長方形及び／若しくは楕円形の形をしていてもよい。
【０１１４】
貫通開口部１９、２７の水力直径は、貫通開口部１９、２７あたり、１００×１０-6ｍから２ｃｍまでの間にある。
【０１１５】
図１０及び図１１に例示される、本発明の実施形態によれば、可撓性の壁部１６、１８は、ひだをつけるなどで、折りたたんでもよい。
【０１１６】
図１０及び図１１に例示される再呼吸空気チャンバ１５は、立方体を形成するべく一緒に溶着された複数の壁板によって、組み立ててもよい。立方体を組み立てる別の方法は、４つの壁板が、1つの正方形の壁要素の互いに反対側に配置される２つの三角形の壁要素によって形成される方法である。２つの三角形壁要素は、正方形要素の延長であり、且つ、正方形要素に溶着されていない。これらの４つの壁板は、一緒に溶着されて、立方体を形成する。この構造のために、非透過性の壁部１６は、透過性の壁要素１８の結果として、透過性部分を備える。ここで透過性の壁要素１８は、壁部１６の一部分である２つの三角形の壁要素を有する。
【０１１７】
図１１では、壁部１６，１８の溶着点から伸びる部分は、壁部１８の余分な部分である。壁部１８の反対側で、２つの壁部１６の溶着点から伸びる部分は、壁部１６の余分な部分である。
【０１１８】
本発明の別の実施形態では、複数の細孔及び／若しくは貫通開口部は、第１の可撓性の壁部１０の中に等距離に分布している。細孔及び／若しくは貫通開口部の水力直径は、２ｃｍよりも小さく、前記水力直径は、１０-3ｍよりも小さいなどであり、好ましくは１８０×１０-6ｍに等しい、若しくは１８０×１０-6ｍよりも小さい。
【０１１９】
呼吸開口部５はまた、ユーザの口に係合するように使用してもよく、それで、ユーザは、呼吸開口部５の中に息を吹き込む。
【０１２０】
再呼吸空気チャンバ１５は、呼吸経路２に着脱可能に取り付けてもよい。
【０１２１】
本発明の別の実施形態では、呼吸開口部５は、パイプ、ダクト、若しくは他の接続部のような、好ましくは呼吸装置を顔マスクへ接続するのに適した接続部を備える。
【０１２２】
第１の壁部３及び／若しくは第２の壁部は、完全に若しくは部分的に疎水性である。
【０１２３】
再呼吸空気チャンバ１５は、１リットルと１６リットルとの間の体積を有し、前記体積は、２リットルと８リットルの間、好ましくは４リットルと６リットルとの間などであり、且つ、再呼吸空気チャンバの幾何形状を変化させることにより、体積的に大きさが調整可能であり、及び／若しくは、第１の壁部の透過性は、大きさが調整可能である。再呼吸空気チャンバの幾何形状を変化させることによって、ユーザは、周囲大気と流体連通する細孔及び／若しくは貫通開口部の量を調節することが可能である。
【０１２４】
第１の壁部３及び／若しくは第２の壁部は、ひだをつけるなどで、折りたたみ可能である。
【０１２５】
呼吸経路２は、少なくとも１．０ｃｍ2の断面を有し、前記断面は、少なくとも１．５ｃｍ2などであり、好ましくは少なくとも２．０ｃｍ2である。呼吸経路２は、本発明の別の実施形態では、呼吸経路２の中に１つ以上の内部経路を備えてもよい。
【０１２６】
第１の壁部３、１０、１６は、約２ナノメートルと２ミリメートルとの間の、若しくは、好ましくは２ｍｍより上の、平均的な細孔サイズ及び／若しくは貫通開口部サイズを有する。
【０１２７】
細孔及び／若しくは貫通開口部は、レーザ穿孔によって作製される。
【０１２８】
透過性材料は、２０℃及び標準大気（１０１．３２５ｋＰａ）で決定された標準空気に対する気体透過流速を有し、そこでは、気体透過流速は、少なくとも約０．０００５ｍ3／（秒＊ｍ2＊ｋＰａ）であり、且つ、再呼吸空気チャンバの内部と周囲大気との間の圧力差は、５パスカルと３５パスカルとの間である。
【０１２９】
透過性材料は重合体膜を備え、前記重合体膜は、ポリテトラフルオロエチレン（ＰＴＦＥ）、パーフルオロアルコキシ（ＰＦＡ）、フッ素化エチレンプロピレン（ＦＥＰ）、ポリビニリデン・ジフルオリド（ＰＶＤＦ）、ポリエチレン（ＰＥ）、ポリプロピレン（ＰＰ）、紙、植物繊維、生分解性材料、及び／若しくは前述の重合体のうちのいずれかを備える組み合わせを備える。生分解性材料は、微生物の活動によって急速に破壊される（分解される）ことが可能な材料を意味する。
【０１３０】
再呼吸空気チャンバ１５の少なくとも一部分は、折りたためるものではない。好ましくは、再呼吸空気チャンバ１５の少なくとも一部分は、折りたためるものではなく、且つ、再呼吸空気チャンバ１５の一部分は、折りたためるものである。より好ましくは、再呼吸空気チャンバ１５は、部分的に折りたため、且つ、再呼吸空気チャンバ１５の中への呼吸開口部５に最も近い少なくとも副区画は、折りたためない、若しくは、呼吸開口部５から離れた副区画よりは、少なくとも折りたたみにくい。この特徴は、ユーザが再呼吸空気チャンバからの流体を吸い込む場合に、再呼吸空気チャンバがつぶれることを保証する。
【０１３１】
再呼吸空気チャンバは、「操作された」後で形状が変化しないように、常に「静止した状態」にあるであろう。即ち、ユーザは再呼吸空気チャンバを引っ張ることが可能であり、且つ、ユーザが放置した後で、再呼吸空気チャンバは、その引っ張られた形状を保つであろう。
【０１３２】
再呼吸空気チャンバは、剛体部分を備えてもよく、ここで前記剛体部分は、再呼吸空気チャンバの中に入り、且つ、開口部からから離れるように再呼吸空気チャンバを押す。これは、小さな影のような物体であり得るであろう。この小さな影のような物体は、吸い込みに際して、再呼吸空気チャンバが、小室／吸い口の中に吸い込まれにくくすることを保証する。
【０１３３】
少なくとも１つの貫通開口部（図には示されず）が呼吸装置の中に設けられ、これによって、呼吸装置に入る、及び／若しくは呼吸装置から出る際の、周囲大気との流体連通を可能にする。貫通開口部は、好ましくは、使用中、下向き若しくは上向きに面する吸い口２に設けてもよい。貫通開口部は、例えば、衣服、指などによって遮断されるのを避けるべく、呼吸開口部から一定の距離に配置される。
【０１３４】
少なくとも１つの貫通開口部の１つ以上には、バルブが、好ましくは隙間を通して気体流を調整するための調節バルブが備え付けられる。調節可能なバルブは、自動的に調節される。バルブは、望ましいＲＢＲを提供するように調節される。
【０１３５】
再呼吸空気チャンバ１５は、圧縮した水を排出するためのバルブを備えてもよい。
【０１３６】
好ましい実施形態（図示せず）では、呼吸装置は、呼吸装置の中に組み込まれたＣＯ2感知センサ若しくはＯ2感知センサを備え、前記センサは、吸い込まれた空気及び／若しくは吐き出された空気のＣＯ2及び／若しくはＯ2レベルを測定するように構成される。そのようなセンサは、ＣＯ2がある一定の制限を超えるかどうか、若しくはＣＯ2がある一定の制限未満であるかどうか、及び／又は、酸素レベルがある一定の制限未満であるかどうか、並びに、これらの状況のいずれかがが起こるか、を監視するために使用することが可能であり、ユーザに対して、警告の信号を送ってもよい。もしそのような警告の信号が送られる場合、通過する流量を増加させる／減少させるために、吸い口の中に貫通開口部のバルブを設定し、それによって、貫通開口部を通して追い出される／吸い込まれる気体の量を変えることが可能である。
【０１３７】
別の実施形態（図示せず）では、呼吸装置は、呼吸装置に組み込まれたＯ2感知装置を備え、ここで前記Ｏ2感知装置は、ユーザの皮膚の表面を通して、ユーザの血液のＯ2レベルを測定するように構成される。
【０１３８】
呼吸装置の好ましい実施形態は、再呼吸空気チャンバ１５から湿気を吸収するように構成された、少なくとも１つの湿気吸収要素を備える。湿気吸収要素（複数可）は、再呼吸空気チャンバ１５の中に、少なくとも部分的に設置される。そのような湿気吸収要素は、取り外し可能且つ取り替え可能であってもよい。
【０１３９】
呼吸装置は、香り付け装置を備えてもよく、ここで前記香り付け装置は、メントールの香りを有するべく、香り付けするようなものであり、再呼吸気体の匂いを変化させるように構成される。
【０１４０】
第１及び／若しくは第２の壁部４は、再呼吸空気チャンバ１５から水を排出するように構成された、水輸送要素を備えてもよい。水輸送要素は、再呼吸空気チャンバ３、４から周囲大気若しくは水収集ユニットへ水を輸送するための経路を提供する材料でできている、若しくは前記材料を備える。
【０１４１】
呼吸装置はまた、小室９、２１、２２を更に備え、前記小室の内部には、使用していない場合、谷状開口部及び／若しくは滑動部のような吸い口２の一部分、及び再呼吸空気チャンバ１５が格納される。吸い口は、小室を形成することが可能であり、且つ、この逆も成り立つ。
【０１４２】
吸い口２及び再呼吸空気チャンバ１５は、小室の中で位置変更的に配置されるなど、取り替え可能である。
【０１４３】
図５は小室９を例示し、小室９の中には、再呼吸空気チャンバ及び吸い口の一部分を格納することが可能である。再呼吸空気チャンバは、折りたたんで、小室の内部に設置することが可能である。吸い口は、蓋によって覆うことが可能である。
【０１４４】
図６では、小室９の１つのバーションが示され、そこでは、再呼吸空気チャンバは、展開されたバージョンにある。再呼吸空気チャンバは、折りたたまれた状態にある場合、図６で点線によって例示された折りたたみ線に沿って折りたたまれる。それによって、折りたたまれた再呼吸空気チャンバは、小室の下側の幅及び広さよりもわずかに小さい幅及び広さを有し、これによって、折りたたまれた再呼吸空気チャンバは、小室の内部に収容され、且つ、蓋によって覆われることが可能になる。更に、蓋を除去することによって（図５参照）、吸い口が露出されるであろう。
【０１４５】
図１３では、小室２１の別の実施形態が例示されている。小室は、蓋のような、２つの着脱可能な小室要素２２を備え、各々は、小室２１の端部に位置変更的に取り替え可能である。２つの着脱可能な小室要素は、装置を使用していない場合、前記再呼吸空気チャンバ１５若しくは呼吸経路２のいずれかへのアクセスを妨げることを目的として構成される。着脱可能な小室要素２２は、位置が変更されるなどで、はずされる若しくは取り替えられる場合、前記再呼吸空気チャンバ１５及び／若しくは前記呼吸経路２へのアクセスを提供するように、構成される。
【０１４６】
小室要素２２は、端部に隣接する２つの側面２３上で位置変更するなどで、取り替えられることを目的として構成されるが、これは、使用していない間に、前記端部で、再呼吸空気チャンバ１５若しくは呼吸経路２のいずれかへのアクセスがある場合に当てはまり、その結果として、使用時に呼吸装置をより良く把持することが提供される。このことは、図１３において、側面２３に対して取り替えが行われる場合、小室要素２２の方向を示す矢印によって例示される。呼吸装置が使用されていない場合、蓋２２は、吸い口２及び再呼吸空気チャンバを覆うべく、小室２１上に配置される。呼吸装置が使用されている場合、蓋は、２つの側面２３へ手動で移してもよく、それで、ユーザは、呼吸装置のより良い把持を提供することが可能である。
【０１４７】
取り替えられると、小室要素は、吸い口の一部と再呼吸空気チャンバの両方を覆い、且つ、これによって、吸い口は清潔なままであることと、再呼吸空気チャンバ接続器及び再呼吸室は手をつけていない状態のままであることとが保証される。そのことはまた、呼吸装置が、装置内部で必要とされる全てのものに対応できることを保証する。
【０１４８】
図１４は、小室２１の別の実施形態に模式的に蝶番をつけたものであり、そこでは、蝶番３１は、模式的に例示されている。蝶番は、小室要素が、２つの側面上で、位置変更するなどで、単に取り替えられ得ることを保証する。貫通開口部１９（図示せず）は、小室２１内部に形成された呼吸経路の中につながる小室２１に設けてもよい。
【０１４９】
呼吸装置の別の実施形態が、図７に例示されており、前記実施形態では、再呼吸空気チャンバの壁全体は、同じ孔があけられた材料１０から成り、即ち、透過性の壁部３と非透過性の壁部４との間の違いは無い。
【０１５０】
呼吸装置の別の実施形態は、図８に例示されており、前記実施形態では、再呼吸チャンバの可撓性の壁部１１には、２つの線の細孔／孔により孔があけられている。
【０１５１】
図７及び図８に示される実施形態では、壁における穿孔／細孔／孔は、コンダクタンスＧを有する、大気への流れの接続を提供し、その一方で、孔があけられていない壁材料は、コンダクタンスＧexpand若しくはコンプライアンスＣによって特徴付けられる膨張可能な体積を提供する。
【０１５２】
本発明の別の実施形態では、再呼吸空気チャンバ１５は、吸い口２から着脱可能であり、且つ、吸い口２に対して取り外し可能である。
【０１５３】
図９に例示される、本発明の別の実施形態では、装置は、第２の空気チャンバである構造安定チャンバ（１３）を備え、この構造安定チャンバ（１３）は、再呼吸空気チャンバ１５に取り付けられる（しかし、再呼吸空気チャンバに直接には流体連通していない）。
【０１５４】
第２の空気チャンバは、加圧された空気チャンバであり、それによって、再呼吸の吸い込み段階の間に再呼吸空気チャンバが完全につぶれるのを妨げるべく、適切で十分な構造安定性及び剛性を保証し、それによって、そのようにつぶれることが、吸い口（２）の遠位端の閉鎖、及び／若しくは再呼吸空気チャンバの壁の透過性部の閉鎖、又は前記壁にある細孔の閉鎖につながることを妨げる。その加圧された状態にある間は、構造安定チャンバは、Ａ）吸い口と、Ｂ）再呼吸空気チャンバ及び、その壁における任意の細孔及び／若しくはフィルタとの間の、永続的で遮断されない空気流を保証する。このことは、再呼吸袋の最大体積のおおよそ０〜１０％の持続的な空所を創り出すことによって、達成される。
【０１５５】
構造安定空気チャンバの活性化は、再呼吸装置を使用する前に開始されるが、その開始は、ユーザが、吸い口（２）を通して息を吐き出すことで、及び／又は、構造安定チャンバ及び／若しくは吸い口に取り付けられたベローズ若しくは逆止めバルブ（１２）を通して息を吐き出すことで、空気を供給することによって行われる。空気をバルブの中に吐き出すことによって、若しくはベローズの活性化によって、構造安定チャンバは、加圧されて、自身を膨張させる。
【０１５６】
任意選択的に、構造安定チャンバをふくらませる逆止めバルブ（１２）は、吸い口（２）の内部に設置してもよい。
【０１５７】
逆止めバルブは、好ましくは、再呼吸空気チャンバの非透過性の壁と同じ材料で作られるか、若しくは、金型設計品であることも可能であろう。逆止めバルブの機能性及び効率は、構造安定チャンバの外側に作用する大気圧と構造安定チャンバの内側の圧力との間の圧力差に基づいている。大気圧における変化は、構造安定チャンバの体積における変化につながる可能性があり、その場合、ユーザは、逆止めバルブを用いて、構造安定チャンバを収縮させるか、若しくは更に膨らませることが望ましいかもしれない。
【０１５８】
構造安定チャンバは、円錐形の設計を有してもよく、前記設計では、近位端から遠位端まで寸法が減少する（近位／遠位は、呼吸開口部５に関して定義される）。
【０１５９】
図９に例示された呼吸装置の実施形態はまた、再呼吸空気チャンバ１５に接続された、１つ以上の付加的な逆止めバルブ１４（「放出バルブ（複数可）」）を含む。
【０１６０】
再呼吸装置の使用の終了時若しくは完了時には、放出バルブ（複数可）は、ユーザが、実際には指で触ることで空気チャンバを圧縮することによって、容易に装置の空気チャンバの空気を空にすることを可能にし、且つ、その結果、チャンバ内部の圧力増加を作り出し、これによって、放出バルブを通して空気を追い出す。そのような放出バルブは、従って、次のことを保証するのに役立つ。ここで前記次のこととは、構造安定チャンバ及び／若しくは再呼吸空気チャンバが、完全な可撓性を回復するべく空にされ、且つ、更に、小室（９）の中の格納位置に再包装されることを保証するべく平らにされ得る、ということである。
【０１６１】
２つの放出バルブに更に付け加えて、第３のバルブ（図９に示されず）を、再呼吸チャンバの遠位端に設置することが可能であるが、これは、圧縮の間に発生した、再呼吸空気チャンバの内側壁に蓄積された流体を除去すること、若しくは軽く叩いて落とすことを可能にするためである。
【０１６２】
別の実施形態では、構造安定チャンバの壁は、弾性材料で作られ、且つ、流体及び、外側大気への調節可能な接続を提供する閉止バルブ（図９に示されず）を備えるが、壁材料の弾性によって、一旦閉止バルブが開くと、構造安定チャンバが自動的且つ即時につぶれることが可能となる。
［機能性］
【０１６３】
次の節は、本発明の範囲を制限することを意図したものではなく、本発明による呼吸装置の好ましい実施形態を使用する上で関係する物理上の提示／指示を提供するために、提示されるものである。
【０１６４】
ユーザは、吸い口２の中に／吸い口２を通して、息を吹き込む。再呼吸空気チャンバの壁は、部分的に半透過性材料でできており、且つ、部分的に非透過性材料でできている。ここで部分的に非透過性材料は、代わりに、孔があけられた材料によるものである。使用において、ユーザから吐き出された流れの一部分は、再呼吸空気チャンバに入り、そして残りは、第１の壁部３を通して大気に入る。ユーザが吸い込む場合、再呼吸空気チャンバに集められた空気は、第１の壁部を通して大気から入った幾らかの新鮮な空気と一緒に再び吸い込まれ、これによって、ユーザが装置を使用しない場合に比べて、一分当たりに吸い込まれる新鮮な空気の量（肺胞換気量）を減少させる。比Ａ／Ｂは、再呼吸比（ＲＢＲ）として表され、ここでＡは、以前に吐き出された気体で構成される、吸い込まれた空気流量の部分集合であり、そしてＢは、吸い込まれた空気流量の合計である。
【０１６５】
代わりに、全換気（全換気＝吸い込まれた袋の空気＋吸い込まれた新鮮な空気）によって除算される、吸い込まれた「袋の空気」の量（再呼吸空気チャンバ１５からの空気）は、再呼吸比（ＲＢＲ）として定義してもよい。
【０１６６】
理論によって束縛されることなく、次のことが信じられている。次のこととは、呼吸装置を使用することによって、安定な状態を達成することが可能であり、前記安定な状態では、吸い込まれた身体のＣＯ2レベルは、望ましい範囲（吸い込まれたＣＯ2割合（ＦＩＣＯ２）が１〜６％）に上げられ、その一方で、酸素飽和はわずかに減少する（５パーセントポイント未満）、ということである。
【０１６７】
ＰaCO2における増加は、次の生理学的な近似によれば、肺胞換気量（ＶA＿ｄｏｔ＝肺への新鮮な空気の送給）を低下させることによって達成される。
【０１６８】
【数１】
2019506955.tif 000003
【０１６９】
ここでＰACO2＝ＣＯ2の肺胞分圧、ＶCO2＿ｄｏｔ＝一分あたりのＣＯ2生産量（ｍＬ／分）である。
【０１７０】
方程式（１）によれば、３０％のＰaCO2における増加は、肺胞換気量を２３％だけ低下させることによって達成することが可能である。ただし、ＰaCO2における正確な変化は、人に依存して、いくらか異なるかもしれない。
【０１７１】
患者における肺胞換気量を減少させるには、幾つかの方法がある。最初に、呼吸速度及び／若しくは呼吸深さにおける変化は、患者による意識的な努力によって（もし患者が、実際に意識がある場合）、若しくは、機械的に換気される患者に対しては、換気装置の設定を調整することによって、影響され得る。
【０１７２】
別の方法は、シュノーケルの場合におけるように、固定された体積による、患者の空所ＶD（即ち、血液との気体交換に参加しない気管の空気体積）を増加させることによるものであり、これは、ＶA＿ｄｏｔを計算するための公式から、以下のように推測される。
【０１７３】
【数２】
2019506955.tif 000004
【０１７４】
ここで、ｆR＝呼吸周波数（／分）、ＶT＝一回呼吸量（即ち、一回の息の吐き出しの体積）である。
【０１７５】
第３の選択肢は、可変体積によって、例えば、袋若しくは他の空気可変体積チャンバ／貯蔵庫を用いて、空所を増加させることであり、前記チャンバ／貯蔵所の体積は、その内部の気体の圧力及び／若しくは質量に応じて、変化することが可能である。そのような可変体積の再呼吸装置では、（大気若しくは酸素リッチな混合気体のような）酸素リッチな気体の源との接続を提供する必要があり、もしＰaCO2における増加が、安定な増加しないレベルを達成することを意図しない場合、ユーザの血液における酸素飽和は、装置を使用している間、連続的に降下しないはずである。
【０１７６】
呼吸装置の全体としての目的は、ユーザのＣＯ2の動脈分圧（ＰaCO2）を３０％だけ増加させることであり、これは、脳への酸素給送を増加させると共に、神経系の興奮性を減少させるためである。
【０１７７】
もしＰaCO2が、初めに通常値（４０ｍｍＨｇ）を有する場合、５０ｍｍＨｇへの２５％のＰaCO2の増加は、大脳血流（ＣＢＦ）をおおよそ７０％増加させるであろう。これによって、脳への酸素給送を増加させ、局所的若しくは全域的な大脳酸素欠乏に対抗する。
【０１７８】
加えて、ＰaCO2を上げることによって、呼吸アシドーシスが誘発され、これは、理論によって束縛されることなく、神経系の興奮性における強い減少につながる。
【０１７９】
呼吸装置は、片頭痛の治療に使用してもよい。
【０１８０】
呼吸装置は、癲癇の治療に使用してもよい。
【０１８１】
呼吸装置は、熱性痙攣の治療に使用してもよい。
【０１８２】
呼吸装置は、腰椎穿刺性頭痛の治療に使用してもよい。
【０１８３】
呼吸装置は、一般に、身体のＣＯ2レベルを上げると共に、体液のｐＨ値を下げるために、使用してもよい。
【０１８４】
呼吸装置は、喘息の予防的治療に使用してもよい。
【０１８５】
呼吸装置は、心拍停止の治療及び回復に使用してもよい。
［物理の説明］
【０１８６】
呼吸装置における流れの概念図が、図２に模式的に例示されている。
【０１８７】
図２では、装置ユーザの肺がＬと表され、体内の解剖学上の空所（ＶＤＡ）と流体連通しており、肺は、口によって、装置の吸い口の剛体の空所（ＶＤＤ)につながり、吸い口は、流れ開口部６によって、再呼吸空気チャンバと流体連通している。体積Ｌ及び体積Ｖ２は、融通のきく大きさのものであり、且つ、換気リズムと共に振動する（即ち、息の吐き出しの最後は、Ｌは小さく、且つＶ２は大きく、そして、息の吸い込みの最後では、その逆が成り立つ）。流れの概念的分析の目的のために、再呼吸空気チャンバは、２つの構成副体積に分割することが可能である。即ち、大気圧に等しい内部圧力を有する融通のきく体積Ｖ２、及び流れ分割副体積の固定された小さな体積Ｖ１である。Ｖ１とＶ２との境界は、実際には流体であり、且つ段階的ではあるが、Ｖ２は、壁に近い再呼吸空気チャンバの体積と考えることが可能であり、且つ、Ｖ１は、吸い口の遠位開口部に対してちょうど遠位の体積と考えることが可能である。Ｖ１は、流れ開口部８によって大気ＡＴに接続されるが、流れ開口部８は、単一の孔、多数の孔、膜、フィルタ、若しくは別のタイプの流れ接続部であってもよい。流れ開口部７は、実際の流れ制限物であるが、しかし、ここでは再呼吸空気チャンバの膨張に対する抵抗を概念的に表すものと考えられる。
【０１８８】
ユーザが息を吐くと、ユーザから吐き出された気体は、Ｌ及びＶＤＡからＶＤＤへ流れ、そしてＶ１に入るであろう。体積Ｖ１における質量の結果的な増加は、Ｖ１における圧力を大気圧より上に増加させるであろう。もし流れ開口部８を通過する流れ（例えば、第１の壁部を通って、大気の中に入る流れ）に対する抵抗が、Ｖ２の膨張に対する抵抗よりも大幅に大きい場合（後者の流れ抵抗は、図２では、流れ開口部７によって象徴される）、Ｖ１での圧力における増加は、Ｖ１から主にＶ２の中への流れにつながるであろう。その場合、外側大気と、患者の体及び装置によって構成される系との間には、非常に少ない気体の交換があるだけであり、このことは、ＶA＿ｄｏｔにおける非常に大きな減少につながるであろう。もし、他方では、Ｖ２の中への流れに対する抵抗が、流れ開口部８の流れ抵抗よりも大幅に大きい場合、患者の全換気のほとんどは、大気の中に流れ出し、このことは、ＶA＿ｄｏｔにおける非常に小さな減少につながるであろう。
【０１８９】
もしＶ１及びＶ２が、例えば、ユーザの肺活量（即ち、最大吸い込み後の最大吐き出し体積）よりも大きな体積を有する薄壁のポリエチレン再呼吸空気チャンバの形態にある場合、Ｖ２の中への空気の流れは、主として、Ａ）再呼吸空気チャンバの膨張及び、Ｂ）流れ開口部８を通して大気の中に吐き出された空気の流れにつながり、単に副次的に、Ｖ２での圧力の増加につながるであろう（即ち、再呼吸空気チャンバは、ほとんど完全な空気貯蔵庫及び圧力緩衝器として機能する）。その結果、装置が使用中である場合、そのような構成では、Ｖ１において単に無視できる背圧が構築されるが、このことは望ましい。
【０１９０】
方程式（２）と比較して、そのような膨張可能な空所装置に対するＶA＿ｄｏｔを計算するために、次の式が引き出される。
【０１９１】
【数３】
2019506955.tif 000005
【０１９２】
ここで、ｆRは呼吸速度であり、ＶTは一回呼吸量（一呼吸の体積）、ＶD,Aは解剖学上の空所、ＶD,Dは装置の吸い口の空所、及びＲＢＲは再呼吸比である。
【０１９３】
代替的な公式では、ＲＢＲは、吐き出された気体の全体積（Ｖ6＿ｄｏｔ、即ち、開口部６を通る体積流）によって除算された再呼吸空気チャンバに入る体積（Ｖ7＿ｄｏｔ、即ち、開口部７を通る体積流）として定義してよい。
【０１９４】
【数４】
2019506955.tif 000006
【０１９５】
図３は、基線でのＶE＿ｄｏｔ（ＶE＿ｄｏｔ＝一分あたりの全換気、空所換気を含む）の関数としてのＶA＿ｄｏｔ（緑、破線）、それに対して、１．５リットルのシュノーケルタイプの剛体空所を通して呼吸した場合のＶA＿ｄｏｔ（赤、点線）、及び０．８のＲＢＲを有する膨張可能な空所を有する呼吸装置を通して呼吸した場合のＶA＿ｄｏｔ（青、実線）を例示しており、呼吸周波数は、全ての状況及び換気速度で一定と仮定されている。
【０１９６】
シュノーケル体積及びＲＢＲ値とは無関係に、方程式（３）は、ＶA＿ｄｏｔ／ＶE＿ｄｏｔである傾きはスノーケルタイプの再呼吸とは反対の呼吸装置に対して、常にあまり急峻ではないであろう。その理由として、呼吸装置については、再呼吸体積は一回呼吸量の規模となり、その結果として、もし患者が、上昇したＦICO2に対して非常に強い換気反応を有する場合、患者は、シュノーケルタイプの装置に関するよりも、ＰaCO2における上昇を、あまり減らすことができないであろう。
【０１９７】
図３が更に例示しているのは、呼吸装置は、一般に、シュノーケルタイプの装置と比べて、ある与えられたＶA＿ｄｏｔに対して、より低いＶE＿ｄｏｔを有する、ということである。
【０１９８】
ＲＢＲは一定ではなく、各呼気に対して変化する。時間に依存するのとは別に、ＲＢＲの大きさは、他の因子の中でも、次のものに依存する。即ち、
・再呼吸チャンバのコンプライアンスＣ（これは、チャンバの体積と同様に、大部分はチャンバの壁材料及び厚さの関数である）、
・再呼吸チャンバ及び／若しくは吸い口の壁にある孔の結合コンダクタンスＧ（装置の好ましい実施形態では、Ｇは調節可能であるが、それは、例えば、再呼吸チャンバ若しくは吸い口の壁における孔のサイズ及び／若しくは数を制御するバルブ若しくは滑動部を使用することによる）、
・再呼吸サイクルの間に到達する再呼吸チャンバの最も小さな体積（吸い込みの最後に到達するものであり、それでＶRC,EIと表される）、
・一回呼吸量、
・吸い込み及び吐き出しのタイミングおよび持続時間、
に依存する。
（以下で、決定因子からＲＢＲの導出を参照のこと）
【０１９９】
Ｃ値及び、調節可能なＧ値の範囲を有する装置を設計することは望ましく、その結果として、ある与えられたユーザ（装置を使用する場合、一回呼吸量、呼吸リズム及びＶRC,EIの個々の値を有する）は、０．５と０．９５との間など、０．５と０．９との間のＲＢＲを得るであろう。
［Ｇ、Ｃ、及び他の決定因子からのＲＢＲの導出］
【０２００】
この節のための用語：
（陳述の順に）
ＶRC,I（ｔ）＝吸い込みの間の再呼吸チャンバ（ＲＣ）の体積（時間に依存）
ＶRC,EE＝吐き出しの終わりでのＲＣの体積
ｄＶRC,I／ｄｔ＝吸い込みの間のＲＣ体積変化率
ｄＶI／ｄｔ＝吸い込みの間の、吸い込まれた空気の流速（即ち、ＲＣから出る流れ）
ｄＶatm,I／ｄｔ＝吸い込みの間の、大気からＲＣの中への空気の流速
ｔ＝時間
ΔＰ＝ＲＣの内部と大気との間の圧力差
ｄＶLA,RC,I／ｄｔ＝吸い込み間の、ＲＣにおける以前に吐き出された肺空気の体積の変化率
ＦLA,RC,I（ｔ）＝吸い込みの間の、以前に吐き出された肺空気から構成されるＲＣ体積の割合（時間に依存）
ＶLA,RC,I（ｔ）＝吸い込みの間の、ＲＣにおける以前に吐き出された肺空気の体積（時間に依存）、即ち、全ＲＣ体積の副体積
ＶRC,EI＝吸い込みの終わりでのＲＣの体積
ＫI＝吸い込み段階に関する積分定数
ＶT＝一回呼吸量
ＶRC,E（ｔ）＝吐き出しの間の再呼吸チャンバ（ＲＣ）の体積（時間に依存）
ｄＶRC,E／ｄｔ＝吐き出しの間のＲＣ体積変化率
ｄＶE／ｄｔ＝吐き出しの間の、吐き出された空気の流速（即ち、ＲＣの中への流れ）
ｄＶatm,E／ｄｔ＝吐き出しの間の、大気の中に入る、ＲＣから出る空気の流速
ｄＶLA,RC,E／ｄｔ＝吐き出しの間の、ＲＣの中で以前に吐き出された肺空気の体積の変化率
ＦLA,RC,E（ｔ）＝吐き出しの間の、肺空気で構成されるＲＣ体積の割合（時間に依存）
ＶLA,RC,E（ｔ）＝吐き出しの間の、ＲＣの中で以前に吐き出された肺空気の体積（時間に依存）、即ち、全ＲＣ体積の副体積
ＫE＝吐き出し段階に関する積分定数
ＥＩ＝吸い込み時間点の終わり
ＥＥ＝吐き出し時間点の終わり
＝吸い込みの終わりでのＶLA,RCと、吸い込みの初めでのＶLA,RCとの間の比
【０２０１】
ＲＢＲとその決定因子との間の相互依存性は、以下のように引き出すことが可能であり、そこでは、
・ＲＣの中での完全な混合（これは、かなりの乱れのために、ユーザの一回呼吸量の大きさのオーダーの範囲内の体積を有するＲＣにおいて仮定される）、
・系を通して、無視してよい気体の密度差（即ち、密度における２％未満の変動。これは、大気圧に比べた場合の圧力差が、大気圧の０．５ｋＰａ＝０．５％を超えることはほとんどないような、通常の呼吸条件における場合であろう）、
・安定状態、周期的呼吸（即ち、呼吸間の一回呼吸量などにおける有意な変化がない）、
を仮定している。
【０２０２】
吸い込みの間、ＲＣの体積は、終わりの吐き出し体積で始まり、且つ、ユーザがＲＣから空気を吸い込むにつれて変化し、そして新しい大気の空気流が、次に外部から流れ込むが、これによって、以下の式をもたらす。
【０２０３】
【数５】
2019506955.tif 000007
【０２０４】
大気からＲＣの中への流れは、コンダクタンス及び、ＲＣ壁をまたぐ圧力差に依存する。
【０２０５】
【数６】
2019506955.tif 000008
【０２０６】
そして、ＲＣ体積における変化は、ＲＣのコンプライアンス及び、ＲＣ壁をまたぐ圧力差に依存する。
【０２０７】
【数７】
2019506955.tif 000009
【０２０８】
ＲＣにおける肺空気の変化率は、以下の通りである。
【０２０９】
【数８】
2019506955.tif 000010
【０２１０】
即ち、ＲＣ内の肺空気の割合が高くなればなるほど、ＲＣから除去される肺空気の体積は、ユーザによってＲＣから吸い込まれる空気流によって、ますます多くなる。ＲＣ内の肺空気の割合は、吸い込みの過程で変化するが、この理由は、それが、ＲＣ内の肺空気の体積及びＲＣの体積の関数であることによる。
【０２１１】
方程式５及び方程式６を方程式４に挿入し、且つ、その後、方程式７において挿入すると、以下の通りとなる。
【０２１２】
【数９】
2019506955.tif 000011
【０２１３】
これは、以下の解に関する通常の微分方程式である。
【０２１４】
【数１０】
2019506955.tif 000012
【０２１５】
これは、（ＶRC,EE＝ＶRC,EI＋ＶT）を用いて、以下のように書き換えることが可能である。
【０２１６】
【数１１】
2019506955.tif 000013
【０２１７】
ＲＢＲは、任意の与えられた時間（ＦLA,RC,I）に、吸い込まれた空気全体の中の、吸い込まれた肺空気の割合に等しいという定義による。方程式４から方程式９を組み合わせると、これは以下をもたらす。
【０２１８】
【数１２】
2019506955.tif 000014
【０２１９】
吐き出し段階については、肺空気は、ＲＣに入る及びＲＣから出る、の両方である（ユーザから入り、且つ、吐き出しの間は、ＲＣ内部の過大圧力のために、大気へ出る）。方程式７と比べて、流れの方向は逆であるので、次の式が、吐き出しの間、ＲＣの体積に適用される。
【０２２０】
【数１３】
2019506955.tif 000015
【０２２１】
吸い込み段階に対して、類似の議論を用いると、次の結果が得られる。
【０２２２】
【数１４】
2019506955.tif 000016
【０２２３】
これは、通常の微分方程式であり、その解は、以下のとおりである。
【０２２４】
【数１５】
2019506955.tif 000017
【０２２５】
方程式９及び方程式１４における積分定数ＫI及びＫEは、呼吸段階の初めと終わりで、値ＶLA,RCに影響を及ぼす。それらの定数は、周期的な安定状態の合理的な仮定（即ち、呼吸サイクルは１つの呼吸サイクルから次の呼吸サイクルの初めに向かう際に、全ての値をそれらの元の値へ戻すという仮定）によって決定される。（吸い込み及び吐き出しの間に起こるバルク流とは反対に）ＲＣの内部と大気との間の拡散が無視できるという仮定と結合させると、次の要求が得られる。
【０２２６】
【数１６】
2019506955.tif 000018
【０２２７】
方程式１５及び方程式１６は、方程式９及び方程式１４を用いて、拡張することが可能であり、その結果として、以下の式をもたらす。
【０２２８】
【数１７】
2019506955.tif 000019
【０２２９】
方程式１７を方程式１８によって除算することによって、ＫIは除去され、且つＫEは分離され得る。
【０２３０】
【数１８】
2019506955.tif 000020
【０２３１】
方程式１９において３回現れる、（ΔＰ＊Ｃ＊ΔｔI＋ＶRC,EI＋ＶT）(1-G/C)／（ＶRC,EI＋ＶT）(1-G/C)という表現は、吸い込みの終わりにおけるＶLA,RCと、吸い込みの初めにおけるＶLA,RCとの間の比であり、且つ、簡単のために、ＲIと表されるが、ＫEに対するより簡単な表現をもたらすであろう。ＲIは、方程式１７に挿入されて、ＫIに対する表現をもたらすことが可能であり、これが、再び方程式１０に挿入されて、決定因子の関数としてのＲＢＲに対する最終方程式をもたらすことが可能である。
【０２３２】
【数１９】
2019506955.tif 000021

【０２３３】
方程式２０及び方程式２１は、任意の部分的な呼吸装置の数学的／物理的な土台を構成し、且つ、望ましい装置のＲＢＲ比を産み出すように、Ｇ及びＣの大きさを合わせる場合、方程式２０及び方程式２１を設計及び実験プロセスを導くために使用することが可能である。
［Ｇ及びＣの測定］
【０２３４】
ＲＣ壁部（複数可）のコンダクタンスＧの決定は、フィルタ材料に対する標準的な空気透過性試験によって決定することが可能である（例えば、材料をまたぐ予め指定された圧力差において、材料を通る誘発された流れを測定することによって）。
【０２３５】
ＲＣのコンプライアンスＣの決定は、再呼吸空気チャンバに関する実験によって行うことが可能であろう。第２の壁部の幾何形状及び／若しくは材料を変化させることによって、Ｃの様々な値が得られる。
【０２３６】
第１のタイプの実験は、生理学的であり得るだろう。即ち、吸い込まれたＣＯ2パーセント、一分換気量、及び前ＣＯ2生産量（これは、作業肺活量測定機器を使用して行うことが可能である）、並びに患者の動脈中のＣＯ2を測定することである。
【０２３７】
別のタイプの実験は、ＲＣチャンバの中の全ての孔がすっかり閉じられた場合、再呼吸空気チャンバの様々な体積変化率（ｄＶ／ｄｔ）における圧力を測定することを含むであろう。実験を行う１つの方法は、大きな空気注射器を持ってきて、例えば、それぞれ、１秒、２秒、３秒、及び４秒、吸い口の中に入れて空気注射器を空にし、且つ、吸い口の遠位端で過大圧力（ΔＰ＝Ｐ1−Ｐatm）を測定する。これは、再呼吸空気チャンバを膨張させる圧力である。この実験における流速は予め決定されているので（それ故、既知である）、且つ、流速は、再呼吸空気チャンバの体積膨張率（ｄＶ／ｄｔ）に大雑把に対応しているので（ＲＶ壁における全ての孔は閉じられているので）、Ｃは、今では拡張圧力によって除算された体積膨張率（＝（ｄＶRC/ｄｔ）／ΔＰ）として計算することが可能である。
［ＰaCO2に対するＲＢＲの影響］
【０２３８】
方程式１から方程式３を組み合わせることによって、ＲＢＲの関数としてのＰaCO2の次の近似表現及びＶD,Dの装置固有の値が、以下のように与えられる。
【０２３９】
【数２０】
2019506955.tif 000022
【０２４０】
ＰaCO2に対してＲＢＲが大きな影響を与えることが、方程式２２から分かる。加えて、動脈中のＰaCO2レベルを測定することから生じる一分換気量の増加を考慮することが必要である。ＰaCO2を通常よりも上げる場合、ＶE＿ｄｏｔは直線的に増加する（傾きは、人ごとに変化するが）。即ち、表現は次の形となる。
【０２４１】
【数２１】
2019506955.tif 000023
【０２４２】
方程式２２と方程式２３を組み合わせると、最終的な表現が、以下のように達成される。
【０２４３】
【数２２】
2019506955.tif 000024
【０２４４】
この表現から、装置のＲＢＲの関数としてのＰaCO2の曲線を計算することが可能であるが、それは、吸い込まれたＣＯ2に対する通常の換気応答（ａ＝２．４）を有する患者に対するものか、それと同様に、低応答（ａ＝１．２）及び高応答（ａ＝３．６）を有する患者に対するものかの、いずれかである。理論によって束縛されることなく、次のことが示された。即ち、ＣＯ2に対して高換気応答を有する個人はまた、低基線ＰaCO2を有し、且つＣＯ2に対して低換気応答を有する個人は、高基線ＰaCO2を有する、ということが示された。このことによって、方程式（９）に対する入力パラメータについての知識が提供され、且つ、前述の曲線をプロットすることが可能になる。
【０２４５】
図４に例示された計算は、次の結果を与える。
【０２４６】
基線から２０％だけＰaCO2を増加させるために（２０％は、臨床的観点から、平均的に望まれる値である）、次のＲＢＲ値が必要とされる。
【０２４７】
高応答者の患者（ａ＝３．６）、低基線ＰaCO2（＝３１ｍｍＨｇ）：ＲＢＲ＝０．８２。安定状態でこのＲＢＲを有する吸い込まれたＣＯ2割合（ＦICO2）＝４．０％。
【０２４８】
平均的応答者（ａ＝２．４）、通常基線ＰaCO2（＝３８ｍｍＨｇ）：ＲＢＲ＝０．８３。ＦICO2＝安定状態で５．０％。
【０２４９】
低応答者（ａ＝１．２）、高基線ＰaCO2（＝４５ｍｍＨｇ）：ＲＢＲ＝０．７７。ＦICO2＝安定状態で５．５％。
【０２５０】
もしＰaCO2における単に１０％の増加が望まれる場合、高応答者、平均的応答者、及び低応答者に対するＲＢＲ値は、それぞれ０．６８、０．６９、０．６０であり、その場合のＦICO2値は、安定状態で３．０％、３．８％、及び３．９％である。
【０２５１】
上記のＦICO2値から示されるように、吸い込まれたＣＯ2割合をＲＢＲに関連させて、以下のように方程式を導出することが可能であり、従って、装置の機能性（その吸い込まれたＣＯ2割合）が装置のＲＢＲにいかに依存するかを説明する。
【０２５２】
【数２３】
2019506955.tif 000025
【０２５３】
ＣＯ2に対する換気応答の変動性の故に、ある与えられたＲＢＲに関するＰaCO2における増加は、上で示されたように、個人の間で変動するであろう。ＰaCO2増加を望ましいレベルに調節するために、このタイプの呼吸装置の幾つかの実施形態は、呼吸装置の内部と大気（例えば、吸い口の壁の中に位置する）との間で調節可能な流れ接続部を提供する、調節可能なバイパスバルブを備え付けることが可能であろう。呼吸装置のＲＢＲは、従って、バルブを開くことによって調節されるか、若しくは、別の方法で、呼吸装置内部の空気の体積と新鮮な気体（それが、外側の大気であれ、若しくは別の気体源であれ）の源との間の流れ接続のコンダクタンスを増加させることによって、調節されるであろう。
【０２５４】
代わりに、異なるＲＢＲ値は、透過性の壁部及び非透過性の壁部の異なる相対的エリアを有する再呼吸チャンバの間で変化することによって、及び／又は、異なる孔サイズ及び／若しくは孔間隔を有する再呼吸チャンバの間で変化することによって、提供することが可能である。そのような幾何学的違いは、Ｇ、Ｃ、及びＲＢＲの異なる値につながり、それによって、装置によって引き出されるＰaCO2増加が変動することを可能にする。
【０２５５】
図２によって表される簡単化された数学的モデルにおける代替的な公式化では、Ｖ7＿ｄｏｔ及びＶ8＿ｄｏｔを次のように計算することが可能である。
【０２５６】
【数２４】
2019506955.tif 000026
【０２５７】
ここで、Ｐ(V1)＝Ｖ１における全圧力、ＰAT＝全大気圧力、Ｒ7＝Ｒexpand＝第２の壁部の流れ抵抗（再呼吸空気チャンバの膨張に対する抵抗であり、これには圧力差によって打ち勝つ必要がある）、Ｇ7＝Ｇexpand＝第２の壁部のコンダクタンス（逆の流れ抵抗）、Ｒ8＝Ｒout＝第１の壁部の流れ抵抗、Ｇ8＝Ｇout＝第１の壁部のコンダクタンス、である。
【０２５８】
ＲＢＲは、吐き出された気体の全体積によって除算された、再呼吸空気チャンバに入る気体の体積として定義されるか、若しくは、コンダクタンスの観点から、ＲＢＲ＝Ｇexpand／（Ｇexpand＋Ｇout）と表され、ＲＢＲは、０．５と０．９との間の値を有する。
【０２５９】
（コンダクタンスＧoutを有する）第１の壁部の流れ抵抗Ｒoutの決定は、第１の壁部の幾何形状及び材料を用いて、数学的に行うことが可能である。好ましくは、第１の壁部のＲoutは、フィルタ材料に対する標準的な空気透過性試験によって決定することが可能である（例えば、材料をまたぐ予め指定された圧力差において、材料を通る誘発された流れを測定することによって）。
【０２６０】
Ｇexpandの決定は、再呼吸空気チャンバに関する実験によって、行うことが可能であろう。第２の壁部の幾何形状及び／若しくは材料を変化させることによって、Ｇexpandの様々な値が得られる。
【０２６１】
第１のタイプの実験は、生理学的であり得るだろう。即ち、吸い込まれたＣＯ2パーセント、一分換気量、及び全ＣＯ2生産量（これは、作業肺活量測定機器を使用して行うことが可能である）、並びに患者の動脈中のＣＯ2を測定することである。上記のパラメータが測定され、且つＧoutが既知である場合、方程式（７）から、Ｇexpandを推測することが可能である。
【０２６２】
別のタイプの実験は、再呼吸空気チャンバの様々な体積変化率（ｄＶ／ｄｔ）における圧力を測定することを含むであろう。これを行う１つの方法は、大きな空気注射器を持ってきて、例えば、１秒、２秒、３秒、及び４秒、吸い口の中に入れて空気注射器を空にし、且つ、吸い口の遠位端で過大圧力（ΔＰ＝Ｐ1−Ｐatm）を測定する。これは、再呼吸空気チャンバを膨張させる圧力である。この実験における流速は予め決定されているので（それ故、既知である）、且つ、流速は、再呼吸空気チャンバの体積膨張率（ｄＶ／ｄｔ）に大雑把に対応しているので、Ｇexpandは、今では方程式（５）によって計算することが可能であり、このことは、Ｇexpand＝（体積膨張率）／（拡張圧力）＝（ｄＶ／ｄｔ）／Ｐ1−Ｐatm）であることを述べている。方程式１、方程式３、方程式４、方程式５、及び方程式６を組み合わせると、ＶD,D、Ｇexpand、及びＧoutの装置固有の値の関数として、ＰaCO2の次の近似表現が与えられる。
【０２６３】
【数２５】
2019506955.tif 000027
【０２６４】
ＶD,D、Ｇexpand、及びＧoutの寸法を決めることは、ＰaCO2に大きな影響を及ぼすことが方程式（７）から分かる。加えて、動脈中のＰaCO2レベルを測定することから生じる一分換気量の増加を考慮することが必要である。ＰaCO2を通常よりも上げる場合、ＶE＿ｄｏｔは直線的に増加する（傾きは、人ごとに変化するが）。即ち、表現は次の形となる。
【０２６５】
【数２６】
2019506955.tif 000028
【０２６６】
方程式（７）及び方程式（８）を組み合わせると、最終的な表現が、次のように達成される。
【０２６７】
【数２７】
2019506955.tif 000029
【０２６８】
この表現から、装置のＲＢＲの関数としてのＰaCO2の曲線を計算することが可能であるが、それは、吸い込まれたＣＯ2に対する通常の換気応答（ａ＝２．４）を有する患者に対するものか、それと同様に、低応答（ａ＝１．２）及び高応答（ａ＝３．６）を有する患者に対するものかの、いずれかである。理論によって束縛されることなく、次のことが示された。即ち、ＣＯ2に対して高換気応答を有する個人はまた、低基線ＰaCO2を有し、且つＣＯ2に対して低換気応答を有する個人は、高基線ＰaCO2を有する、ということが示された。このことによって、方程式（９）に対する入力パラメータについての知識が提供され、且つ、前述の曲線をプロットすることが可能になる。
【０２６９】
図４に例示された計算は、次の結果を与える。
【０２７０】
基線から２０％だけＰaCO2を増加させるために（２０％は、臨床的観点から、平均的に望まれる値である）、次のＲＢＲ値が必要とされる。
【０２７１】
高応答者の患者（ａ＝３．６）、低基線ＰaCO2（＝３１ｍｍＨｇ）：ＲＢＲ＝０．８２。安定状態でこのＲＢＲを有する吸い込まれたＣＯ2割合（ＦICO2）＝４．０％。
【０２７２】
平均的応答者（ａ＝２．４）、通常基線ＰaCO2（＝３８ｍｍＨｇ）：ＲＢＲ＝０．８３。ＦICO2＝安定状態で５．０％。
【０２７３】
低応答者（ａ＝１．２）、高基線ＰaCO2（＝４５ｍｍＨｇ）：ＲＢＲ＝０．７７。ＦICO2＝安定状態で５．５％。
【０２７４】
もしＰaCO2における単に１０％の増加が望まれる場合、高応答者、平均応答者、及び低応答者に対するＲＢＲ値は、それぞれ０．６８、０．６９、０．６０であり、その場合のＦICO2値は、安定状態で３．０％、３．８％、及び３．９％である。
【０２７５】
上記のＦICO2値から示されるように、吸い込まれたＣＯ2割合をＲＢＲに関連させて、以下のように方程式を導出することが可能であり、従って、装置の機能性（その吸い込まれたＣＯ2割合）がその設計（ある一定のＲＢＲをもたらす、コンダクタンスのＧexpand及びＧoutの値）にいかに依存するかを説明する。
【０２７６】
【数２８】
2019506955.tif 000030
【０２７７】
ＣＯ2に対する換気応答の変動性の故に、ある与えられたＲＢＲに関するＰaCO2における増加は、上で示されたように、個人の間で変動するであろう。ＰaCO2増加を望ましいレベルに調節するために、このタイプの呼吸装置の幾つかの実施形態は、呼吸装置の内部と大気（例えば、吸い口の壁の中に位置する）との間で調節可能な流れ接続部を提供する、調節可能なバイパスバルブを備え付けることが可能であろう。呼吸装置のＲＢＲは、従って、バルブを開くことによって調節されるか、若しくは、別の方法で、呼吸装置内部の空気の体積と新鮮な気体（それが、外側の大気であれ、若しくは別の気体源であれ）の源との間の流れ接続のコンダクタンスを増加させることによって、調節されるであろう。
【０２７８】
代わりに、異なるＲＢＲ値は、透過性の壁部及び非透過性の壁部の異なる相対的エリアを有する再呼吸チャンバの間で変化することによって、及び／又は、異なる孔サイズ及び／若しくは孔間隔を有する再呼吸チャンバの間で変化することによって、提供することが可能である。そのような幾何学的な違いは、Ｇexpand、Ｇout、及びＲＢＲの異なる値につながり、それによって、装置によって引き出されるＰaCO2増加が変動することを可能にする。
【０２７９】
呼吸装置の機能性を測定するための代替的な方法：呼吸装置の機能性を測定するための別の方法は、図１７における実験構成を用いてＲＢＲを測定することであろう。
【０２８０】
制御された量の純粋なＣＯ2が、吸い口を通して、再呼吸空気チャンバ（上記の図では「立方体」）の中にポンプで注入され、且つ、吸い口を通して、ポンプで逆に再び出され、その場合のＣＯ2レベル及び流量が、センサによって測定される。ＣＯ2及び流量のセンサ測定は、同期化されると共に、少なくとも１００測定点に分割された、初めの吸い込みから終わりの吸い込みまでの時間に対応したサンプリングレートを有するべきであるＣＯ2は、トレーサとして作用するが、その理由は、吸い込まれた空気中で測定される全てのＣＯ2は、吐き出された空気に由来することが知られているからである。
【０２８１】
ＲＢＲは、その後、次の方程式によって計算することが可能である。
【０２８２】
【数２９】
2019506955.tif 000031
【０２８３】
ここで、
Ｖinspired_from_cubeは、以前に吐き出された空気によって構成される吸い込まれた空気（吸い込まれた空気＝ポンプＬを通して汲み上げられた空気）の体積、
Ｖinspired_totalは、吸い込まれた空気の全体積、
ＶCO2_inspiredは、吸い込まれたＣＯ2の全体積、
ｔは時間、
ｔ＿ｓｔａｒｔ＿ｉｎｓｐは、ポンプＩを介した吸い込みが始まる時間、
ｔ＿ｅｎｄ＿ｉｎｓｐは、ポンプＩを介した吸い込みが終わる時間、
Ｖ＿ｄｏｔ（ｔ）は、時間ｔにおける体積流速である。
【０２８４】
ＦCO2（ｔ）は、時間ｔにおけるＣＯ2の割合である（０＝０％ＣＯ2、１＝１００％ＣＯ2）。理論によって束縛されることなく、この実験によって、異なるＧ値及びＣ値を有する呼吸装置に対してＲＢＲを測定すると共に、上記のＲＢＲの導出において識別された他の因子（因子の中でも、呼吸サイクル（吸い込み、吸い込みから吐き出しまでの休止、吐き出し、吐き出しから吸い込みまでの休止）の様々な段階のタイミング及び長さ、呼吸サイクルの間に到達する再呼吸チャンバの最も小さな体積、及び一回呼吸量）によって、いかにＲＢＲが影響されるかを調査することもまた可能であろう。
【０２８５】
吐き出された空気において純粋なＣＯ2を使用することは強制ではないが、しかし、純粋なＣＯ2は、方程式２７を使用できるので、ＲＢＲの計算をより簡単にする。
【０２８６】
図１６ａから図１６ｃを参照すると、これらの図は、本発明の一態様による、再呼吸空気チャンバ接続器２６を展開するステップを模式的に例示している。図１６ａでは、接続器１６は、折りたたまれた配置で例示さており、且つ、図１６ｂ及び図１６ｃでは、接続器１６は、展開された配置で例示されている。図１６Ｃは、Ｘとラベルされた細片（＃３７）を引っ張ることによって、再呼吸空気チャンバ１５を展開するプロセスを例示する。
【０２８７】
図１６ａから図１６ｃで例示されるように、再呼吸空気チャンバ接続器２６は、前記接続器２６に配置された多数の平行に伸びる折りたたみ線３２を備えることによって、折りたたみ可能であり、これによって、空気呼吸接続器２６が、好ましくは、図１６ａに例示されるような直方体である空隙３３を定義する配置に折りたたまれることを可能にする。再呼吸空気チャンバ接続器２６の寸法は、好ましくは、折りたたまれた配置における場合、再呼吸空気チャンバ１５の少なくとも一部分が、図１６ａに例示されるような空隙３３の内部に収容されるように、選択される。空隙内部に収容される場合、再呼吸空気チャンバは折りたたまれていることに注意されたい。折りたたみ線３２は、好ましくは、局所的により薄い材料厚さの形をしていてもよく、ここで前記材料厚さは、接続器２６の残りの部分よりも容易に曲がる部分を定義し、その結果として、これらの折りたたみ線３２は、各々が蝶番機構を形成する。
【０２８８】
図１６ｂに例示されるように、再呼吸空気チャンバ接続器は滑動部２４を有し、滑動部２４は、前記滑動部が一方の側に移動する場合（且つ、再呼吸空気チャンバが、図１６ｂ及び図１６ｃに例示されるように、展開されている場合）、前記再呼吸空気チャンバ１５の中への開口部を提供する。図１６ｂ及び図１６ｃに例示されるように、滑動部は、開口部の覆いをとり、そして滑動部の位置は、ユーザによって変えられるので、開口部のサイズは、ユーザによって調節することが可能であり、従って、滑動部（２４）は、１つ以上の貫通開口部３０の覆いをとる、若しくは前記貫通開口部３０を覆うことによって、前記再呼吸空気チャンバ１５の中への空気の流れを調節することを目的として構成されている、と見ることが可能である。図１６ｂ及び図１６ｃに例示されるように、滑動部はロール面として形成してもよい。
【０２８９】
図１６ａから図１６ｃに例示されるような再呼吸空気チャンバ接続器２６は、好ましくは本発明の他の実施形態と関連して開示される、１つ以上の貫通開口部２７を更に備え、前記貫通開口部２７は、サイズにおいて調整可能でないものであり、且つ、再呼吸空気チャンバに入る、及び／若しくは再呼吸空気チャンバから出る際の、周囲大気との流体連通を可能にする。幾つかの実施形態では、滑動部機構２４若しくは貫通開口部２７の１つは省いてもよい、ということに注意されたい。なお更なる実施形態では、滑動部機構及び貫通開口部２７のどちらも、接続器２６に設けられない。
【０２９０】
図１６ａから図１６ｃにもまた例示されるように、再呼吸空気チャンバ接続器２６は、細長い展開要素３４（通常、細片の形をしている）を備え、前記展開要素３４は、前記接続器２６の表面に沿う折りたたみ線に垂直な方向に滑動可能に伸びる。展開要素３４は、１つの端部３４ａで接続器２６に固定されるが、１つの端部で固定される範囲内では、展開要素３４が接続器２６と一体で作られることも考えられる。従って、展開要素３４を、しかも固定された端部３４ａと反対側の端部で（通常はユーザによって）引っぱることによって、その折りたたまれた配置から、再呼吸空気チャンバ接続器２６を展開する。このことは、図１６ａ及び図１６ｂに、図１６ｂにおける太い矢印によって例示されるが、図１６ｂは、太い矢印の方向に引っ張ることによって、接続器２６が、図１６ａにおける折りたたまれた配置から、図１６ｂに示された展開された配置へ展開することを示している。
【０２９１】
接続器２６に対して相対的に、細長い展開要素３４をその望ましい位置に維持するために、再呼吸空気チャンバ接続器２６は、前記接続器２６上の案内された位置に細長い展開要素３４を維持するための案内要素３５を備える。これらの案内要素３５は、細長い展開要素３４が横向きに移動するのを妨げながら、細長い展開要素３４において引っぱる作用を可能とするように設計されている。
【０２９２】
細長い展開要素３４及び／若しくは再呼吸空気チャンバ接続器２６は、通常、掛け金を備え、この掛け金は、前記再呼吸空気チャンバ接続器２６が展開された配置にある場合、細長い展開要素の位置を掛け金で留めることを目的として構成される。この掛け金は、図１６ａから図１６ｃに例示されていない（しかし、これらの図では、「カチッ」という表現によって示されている）。掛け金は、通常、知られているような、固定用細片でできており、且つ、細長い展開要素上、若しくは接続器上のいずれかに設けられた突出部を備え、この突出部は、他の部分上にある突出部若しくは刻み目と係合する。
【０２９３】
図１６ａから図１６ｃにもまた例示されるように、再呼吸空気チャンバ１５は、再呼吸空気チャンバの壁部に取り付けられたつまみのような細片３７を備え、これによって、ユーザが、再呼吸空気チャンバ１５を膨張させ、好ましくは、折りたたまれた配置から再呼吸空気チャンバを展開することを可能にし、その結果として、ユーザは、再呼吸空気チャンバの中に空気を吐き出すことが容易になる。
【０２９４】
以下には、本発明の好ましい実施形態及び態様が、項目のリストとして提示される。
【０２９５】
［項目１］
呼吸装置（１）であって、
吸い口（２）の第１の端部と第２の端部との間の接続部を形成するべく、呼吸経路を形成する吸い口（２）であって、前記第１の端部は、ユーザが、呼吸開口部（５）を通して前記吸い口の中に息を吹き込むことを目的として構成される、吸い口（２）と、
前記吸い口の前記第２の端部に取り付けられ、それによって、前記呼吸経路と流体連通している、少なくとも部分的に可撓性の再呼吸空気チャンバ（１５）であって、前記再呼吸空気チャンバは、少なくとも部分的に可撓性の壁部（複数可）によって形成される、少なくとも部分的に可撓性の再呼吸空気チャンバ（１５）と、
を備え、
前記少なくとも部分的に可撓性の再呼吸チャンバ（１５）は、前記壁部に設けられた複数の細孔（３６）及び／若しくは貫通開口部（２７）のような１つ以上のものによって、気体に対して透過性である第１の壁部（３，１０，１１，１６，２８）を有し、
前記吸い口（２）は、前記呼吸経路と周囲大気との間の流体連通を可能にする１つ以上の貫通開口部（１９，３５）を備える、呼吸装置。
【０２９６】
［項目２］
項目１に記載の呼吸装置であって、
前記再呼吸空気チャンバ（１５）は、
前記少なくとも部分的に可撓性の第１の壁部（３，１０，１１，１６，２８）にある多数の貫通開口部及び／若しくは細孔であって、前記貫通開口部及び／若しくは細孔は、気体に対する透過性を提供し、且つ全体としての流れコンダクタンスＧを有する、多数の貫通開口部及び／若しくは細孔、
を備え、
前記細孔及び／若しくは貫通開口部から離れた前記第１の壁部は、気体に対して非透過性であり、且つ、前記第１の壁部にまたがる圧力差によって変形可能であり、前記圧力差は、前記再呼吸チャンバの中にユーザが息を吹き込むことによって提供される大きさのものであり、これによって、前記第１の壁部は、前記第１の壁部によって取り囲まれる前記再呼吸チャンバに、実質的な時間で正規化されたコンプライアンスＣを与え、ここでＣは、前記壁部にまたがる圧力差あたり、一秒あたりの、前記再呼吸チャンバの体積膨張として決定され、
前記再呼吸空気チャンバは、好ましくは０．５と０．９５の間など、０．５と０．９の間の値として、ここでは定義される再呼吸比を有する、呼吸装置。
【０２９７】
［項目３］
項目１若しくは項目２に記載の呼吸装置であって、
前記再呼吸空気チャンバ（３，４）は、
気体に対して透過性であると共に、第１のコンダクタンスＧoutを有する前記第１の壁部（３）と、
気体に対して非透過性であると共に、第２のコンダクタンスＧexpendを有する第２の壁部（４）と、
を備え、
前記第１及び第２の壁部は、０．５と０．９の間のＲＢＲ＝Ｇexpand／（Ｇout＋Ｇexpand）として定義されるＲＢＲを提供するように構成される、呼吸装置。
【０２９８】
［項目４］
項目１から項目３のいずれか一項目に記載の呼吸装置であって、
前記再呼吸空気チャンバは、空気に対して透過性である第１の壁部（３）と空気に対して非透過性である第２の壁部（４）とを備える、呼吸装置。
【０２９９】
［項目５］
項目１から項目４のいずれか一項目に記載の呼吸装置であって、
前記再呼吸空気チャンバ（１５）は、前記可撓性の第１の壁部（３）及び／若しくは、前記壁部の中に設けられた複数の細孔及び／若しくは貫通開口部により気体に対して透過性である可撓性の第２の壁部によって形成される、呼吸装置。
【０３００】
［項目６］
項目１から項目５のいずれか一項目に記載の呼吸装置であって、
前記可撓性の壁部（１１）によって形成される前記再呼吸チャンバ（１５）は、前記可撓性の壁部（１１）に分布する、線若しくは列の形で配置された複数の細孔及び／若しくは貫通開口部により気体に対して透過性である、呼吸装置。
【０３０１】
［項目７］
項目１から項目６のいずれか一項目に記載の呼吸装置であって、
前記呼吸装置（１）は、再呼吸空気チャンバ接続器（２６）を更に備え、
前記接続器（２６）は、
・顔マスク若しくは前記吸い口（２）を前記再呼吸空気チャンバ（１５）に接続することを目的として、若しくは、
・前記接続器（２６）が前記吸い口（２）を形成するように、
構成され、
前記接続器（２８）の少なくとも一部分は、前記第１の壁部及び／若しくは第２の壁部の少なくとも一部分を形成し、前記再呼吸空気チャンバ接続器（２６）は、前記再呼吸空気チャンバ（１５）に入る、及び／若しくは前記再呼吸空気チャンバ（１５）から出る際の、ユーザの息との流体連通を可能にする、呼吸装置。
【０３０２】
［項目８］
項目１から項目７のいずれか一項目に記載の呼吸装置であって、
前記再呼吸空気チャンバ（１５）の形は、直方体のような立方体、回転楕円体のような球体、袋タイプ、実質的に四面体のような四面体、実質的にピラミッドのような四角ベースのピラミッド、実質的に八面体のような八面体、実質的にプリズムのような六辺形プリズム、実質的に十二面体のような十二面体、円筒形、若しくは楕円柱、を備えるグループから選択される、呼吸装置。
【０３０３】
［項目９］
項目１から項目８のいずれか一項目に記載の呼吸装置であって、
再呼吸装置（１５）の前記形は、項目５に従って選択され、且つ前記再呼吸空気チャンバは、各々が前記再呼吸チャンバの面を定義する壁板を備え、前記壁板の１つ以上及び／若しくは、前記壁板の１つの少なくとも一部分は、前記第１の可撓性の壁部を形成し、且つ、項目３に依存する場合、前記壁板の少なくとも１つは、前記第２の可撓性の壁部（１８）の少なくとも一部分を形成し、前記第１の壁部は、好ましくは、透過性の部分を備えるか、若しくは、好ましくは、前記可撓性の第１の壁部に分布する、線若しくは列の形で配置された複数の細孔及び／若しくは貫通開口部により気体に対して透過性である、呼吸装置。
【０３０４】
［項目１０］
項目９に記載の呼吸装置であって、
前記壁板の１つ以上は、第１の可撓性の壁部及び／若しくは第２の可撓性の壁部を備える、呼吸装置。
【０３０５】
［項目１１］
項目９若しくは項目１０に記載の呼吸装置であって、
前記壁板及び／若しくは壁部は、４ｍｍよりも小さな厚さを有し、前記厚さは、２ｍｍよりも小さい、１ｍｍよりも小さいなどである、呼吸装置。
【０３０６】
［項目１２］
項目７から項目１１のいずれか一項目に記載の呼吸装置であって、
前記再呼吸空気チャンバは、前記再呼吸空気チャンバ接続器（２６）に配置された前記呼吸経路を更に備え、これによって、使用中、前記再呼吸空気チャンバ（１５）に入る、及び／若しくは前記再呼吸空気チャンバ（１５）から出る際の、前記ユーザの口との流体連通を可能にする、呼吸装置。
【０３０７】
［項目１３］
項目７から項目１２のいずれか一項目に記載の呼吸装置であって、
前記呼吸経路は、少なくとも１つの貫通開口部（１９，３５）を有し、これによって、前記呼吸装置に入る、及び／若しくは前記呼吸装置から出る際の、前記周囲大気との流体連通を可能にする、呼吸装置。
【０３０８】
［項目１４］
項目１３に記載の呼吸装置であって、
前記貫通開口部の１つ以上は、閉止可能であり、及び／若しくは、例えば、バルブ機構（３８）によって、サイズ（３４）が調節可能である、呼吸装置。
【０３０９】
［項目１５］
項目１３若しくは項目１４に記載の呼吸装置であって、
前記呼吸経路に設けられた前記貫通開口部（３０）は、１つ以上の開口部の形をしており、好ましくは、２つの平行な長手方向の壁部（２５）の間に配置された滑動部（２４）によって覆われ、前記滑動部（２４）が前記２つの平行な長手方向の壁部（２５）の間で直動的に移動する場合、前記滑動部は、前記呼吸経路（２）の中に開口部を提供し、前記滑動部（２４）は、前記再呼吸空気チャンバ（１５）の中への空気の流れを調節することを目的として構成される、呼吸装置。
【０３１０】
［項目１６］
項目１３から項目１５のいずれか一項目に記載の呼吸装置であって、前記呼吸経路は、２つの平行な長手方向の壁部（２０）を更に備え、前記２つの平行な長手方向の壁部（２０）は、２ｃｍ未満の距離、好ましくは１ｃｍ未満など、３ｃｍ未満の距離を有する前記呼吸経路を通って、呼吸方向に対して垂直な方向に突出しており、前記呼吸装置を指で保持する間に、ユーザが前記貫通開口部を指で塞ぐことを妨げるために構成され、前記貫通開口部（１９）は、２つの平行な長手方向の壁部（２０）の間に配置される、呼吸装置。
【０３１１】
［項目１７］
項目７から項目１６のいずれか一項目に記載の呼吸装置であって、
前記再呼吸空気チャンバは、前記再呼吸空気チャンバ接続器（２６）上に配置された、調節可能でない貫通開口部（２７）を備え、これによって、前記再呼吸空気チャンバに入る、及び／若しくは前記再呼吸空気チャンバから出る際の、前記周囲大気との流体連通を可能にする、呼吸装置。
【０３１２】
［項目１８］
項目７から項目１２のいずれか一項目に記載の呼吸装置であって、
前記再呼吸空気チャンバ接続器（２６）は、受け口（２９）を更に備え、前記受け口（２９）は、前記再呼吸空気チャンバに入る、及び／若しくは前記再呼吸空気チャンバから出る際の流体連通を可能にしながら、前記再呼吸空気チャンバを前記吸い口に接続することを目的として構成される、呼吸装置。
【０３１３】
［項目１９］
項目１８に記載の呼吸装置であって、
１つ以上の再閉止可能な、及び／若しくは調節可能な開口部は、好ましくは、２つの平行な長手方向の壁部（２５）の間に配置された滑動部（２４）を備え、前記滑動部は、前記可撓性の壁部（１８）上に配置され、前記滑動部（２４）は、前記滑動部（２４）が前記２つの平行な長手方向の壁部（２５）の間で一方の側に移動する場合、前記再呼吸空気チャンバ（１５）の中への開口部を提供し、前記滑動部（２４）は、前記再呼吸空気チャンバ（１５）の中への空気の流れを調節することを目的として構成される、呼吸装置。
【０３１４】
［項目２０］
項目１８若しくは項目１９に記載の呼吸装置であって、
前記受け口（２９）は、前記吸い口（２）を形成する、呼吸装置。
【０３１５】
［項目２１］
項目７から項目２０のいずれか一項目に記載の呼吸装置であって、
前記再呼吸空気チャンバ接続器（２６）は、調節可能でない貫通開口部（２７）を備え、これによって、前記再呼吸空気チャンバに入る、及び／若しくは前記再呼吸空気チャンバから出る際の、前記周囲大気との流体連通を可能にする、呼吸装置。
【０３１６】
［項目２２］
項目１から項目２１のいずれか一項目に記載の呼吸装置であって、
前記貫通開口部（１９，２７）及び／若しくは滑動部／バルブの可変開口部（３０）は、前記再呼吸空気チャンバから出ていく流体を、ユーザの顔から遠ざけるように向ける／角度をつけることを目的として構成される、呼吸装置。
【０３１７】
［項目２３］
項目１から項目２２のいずれか一項目に記載の呼吸装置であって、
前記貫通開口部（１９，２７）は、円形、長方形、及び／若しくは楕円形の形をしている、呼吸装置。
【０３１８】
［項目２４］
項目１から項目２３のいずれか一項目に記載の呼吸装置であって、
前記貫通開口部（１９，２７）の水力直径は、貫通開口部（１９，２７）あたり、１００×１０ｃｍ-6ｍから３ｃｍの間など、１００×１０-6ｍから２ｃｍの間である、呼吸装置。
【０３１９】
［項目２５］
項目９から項目２４のいずれか一項目に記載の呼吸装置であって、
前記可撓性の壁部（１６，１８）は、ひだをつけるなどにより、折りたたみ可能である、呼吸装置。
【０３２０】
［項目２６］
項目９から項目２５のいずれか一項目に記載の呼吸装置であって、
前記再呼吸空気チャンバ（１５）は、立方体を形成するべく、一緒に溶着された複数の壁板によって組み立てられる、呼吸装置。
【０３２１】
［項目２７］
項目９から項目２６のいずれか一項目に記載の呼吸装置であって、
前記再呼吸空気チャンバ（１５）は、立方体（１７）を形成するべく、一緒に溶着された４つの壁板によって組み立てられ、前記４つの壁板の各々は、1つの正方形の壁要素の互いに反対側に配置される２つの三角形の壁要素によって形成される、呼吸装置。
【０３２２】
［項目２８］
項目１から項目２７のいずれか一項目に記載の呼吸装置であって、
前記複数の細孔及び／若しくは貫通開口部は、前記第１の可撓性の壁部（１０）に等距離に分布する、呼吸装置。
【０３２３】
［項目２９］
項目１から項目２８のいずれか一項目に記載の呼吸装置であって、
前記細孔及び／若しくは貫通開口部の水力直径は、２ｃｍよりも小さく、前記水力直径は、１０-3ｍよりも小さいなどであり、好ましくは、１８０×１０-6ｍに等しい、若しくは１８０×１０-6ｍよりも小さい、呼吸装置。
【０３２４】
［項目３０］
項目１から項目２９のいずれか一項目に記載の呼吸装置（１）であって、
前記呼吸開口部（５）は、パイプ、ダクト、若しくは他の接続部のような、好ましくは前記呼吸装置を顔マスクに接続するのに適した接続部を備える、呼吸装置（１）。
【０３２５】
［項目３１］
項目１から項目３０のいずれか一項目に記載の呼吸装置（１）であって、
前記第１の壁部（３）及び／若しくは第２の壁部（４）は、存在する場合、完全に若しくは部分的に疎水性である、呼吸装置（１）。
【０３２６】
［項目３２］
項目１から項目３１のいずれか一項目に記載の呼吸装置（１）であって、
前記再呼吸空気チャンバ（１５）は、１リットルと１６リットルとの間の体積を有し、前記体積は、２リットルと８リットルとの間などにあり、好ましくは４リットルと６リットルとの間にある、呼吸装置（１）。
【０３２７】
［項目３３］
項目１から項目３２のいずれか一項目に記載の呼吸装置（１）であって、
前記第１の壁部（３）及び／若しくは第２の壁部は、ひだをつけるなどで、折りたたみ可能である、呼吸装置（１）。
【０３２８】
［項目３４］
項目１から項目３３のいずれか一項目に記載の呼吸装置（１）であって、
前記再呼吸空気チャンバ（１５）は、前記再呼吸空気チャンバの幾何形状を変化させることによって、体積的に大きさが調整可能であり、及び／若しくは、前記第１の壁部の透過性は、例えば、細孔及び／若しくは貫通開口部の覆いをとることによって、例えば、前記細孔及び／若しくは貫通開口部を覆うために取り付けられた細片を少なくとも部分的に除去することによって、大きさが調整可能である、呼吸装置（１）。
【０３２９】
［項目３５］
項目１から項目３４のいずれか一項目に記載の呼吸装置（１）であって、
前記呼吸経路は、少なくとも１．０ｃｍ2の最小断面を有し、前記最小断面は、少なくとも１．５ｃｍ2などであり、好ましくは、少なくとも２．０ｃｍ2である、呼吸装置（１）。
【０３３０】
［項目３６］
項目１から項目３５のいずれか一項目に記載の呼吸装置（１）であって、
前記第１の壁部（３，１０，１６）若しくは吸い口（２）は、約２ナノメートルと２ミリメートルとの間の、好ましくは２ｍｍを超える、平均的な細孔サイズ及び／若しくは貫通開口部サイズを有する、呼吸装置（１）。
【０３３１】
［項目３７］
項目１から項目３６のいずれか一項目に記載の呼吸装置（１）であって、
前記細孔及び／若しくは貫通開口部は、レーザ穿孔によって作製される、呼吸装置（１）。
【０３３２】
［項目３８］
項目１から項目３７のいずれか一項目に記載の呼吸装置（１）であって、
第１の壁部は、２０℃及び標準大気（１０１．３２５ｋＰａ）で決定された標準空気に対する気体透過流速を有し、前記気体透過流速は、少なくとも約０．０００５ｍ3／（秒＊ｍ2＊ｋＰａ）であり、且つ、前記再呼吸空気チャンバの内部と前記周囲大気との間の圧力差は、５パスカルと３５パスカルとの間である、呼吸装置（１）。
【０３３３】
［項目３９］
項目１から項目３８のいずれか一項目に記載の呼吸装置（１）であって、
前記第１の壁部（３，１０，１６）は重合体膜を備え、前記重合体膜は、好ましくは、ポリテトラフルオロエチレン（ＰＴＦＥ）、パーフルオロアルコキシ（ＰＦＡ）、フッ素化エチレンプロピレン（ＦＥＰ）、ポリビニリデン・ジフルオリド（ＰＶＤＦ）、ポリエチレン（ＰＥ）、ポリプロピレン（ＰＰ）、紙、植物繊維、生分解性材料、及び／若しくは上述の重合体のうちの任意のものを備える組み合わせを備える、呼吸装置（１）。
【０３３４】
［項目４０］
項目１から項目３９のいずれか一項目に記載の呼吸装置（１）であって、
前記再呼吸空気チャンバ（１５）の少なくとも一部分は折りたためるものではなく、好ましくは、再呼吸空気チャンバ１５の少なくとも一部分は折りたためるものではなく、且つ、前記再呼吸空気チャンバ（１５）の一部分は折りたためるものであり、より好ましくは、前記再呼吸空気チャンバ（１５）は部分的に折りたためるものであり、且つ、前記再呼吸空気チャンバ（１５）の中に入る前記呼吸開口部（５）に近い少なくとも副区画は、折りたためるものではなく、若しくは、前記呼吸開口部（５）から離れた副区画よりは、少なくとも折りたたみにくい、呼吸装置（１）。
【０３３５】
［項目４１］
項目１から項目４０のいずれか一項目に記載の呼吸装置（１）であって、
前記少なくとも１つの貫通開口部の１つ以上は、バルブ（３８）、好ましくは、開口部を通る気体の流れを調整するための調節可能なバルブを備え付けており、前記調節可能なバルブは、好ましくは自動的に調節される、呼吸装置（１）。
【０３３６】
［項目４２］
項目１から項目４１のいずれか一項目に記載の呼吸装置（１）であって、
前記再呼吸空気チャンバ（１５）は、圧縮した水を排出するためのバルブを備える、呼吸装置（１）。
【０３３７】
［項目４３］
項目１から項目４２のいずれか一項目に記載の呼吸装置（１）であって、
前記呼吸装置は、前記呼吸装置の中に組み込まれたＣＯ2感知装置若しくはＯ2感知装置を備え、これらの装置は、吸い込まれた空気及び／若しくは吐き出された空気のＣＯ2レベル及び／若しくはＯ2レベルを測定するように構成される、呼吸装置（１）。
【０３３８】
［項目４４］
項目１から項目４３のいずれか一項目に記載の呼吸装置（１）であって、
前記呼吸装置は、Ｏ2感知装置を備え、前記Ｏ2感知装置は、ユーザの血液のＯ2レベルを測定することを目的として構成される、呼吸装置（１）。
【０３３９】
［項目４５］
項目１から項目４４のいずれか一項目に記載の呼吸装置（１）であって、
前記呼吸装置は、前記再呼吸空気チャンバ（１５）から湿気を吸収するように構成された少なくとも１つの湿気吸収要素を備え、前記湿気吸収要素（複数可）は、好ましくは、前記再呼吸空気チャンバ（１５）の中に少なくとも部分的に設置され、より好ましくは、前記湿気吸収要素は、取り外し可能且つ取り替え可能な要素である、呼吸装置（１）。
【０３４０】
［項目４６］
項目１から項目４５のいずれか一項目に記載の呼吸装置（１）であって、
前記呼吸装置は香り付け装置を備え、前記香り付け装置は、メントールの香りを有するべく香り付けをするなど、前記再呼吸気体の匂いを変化させるように構成される、呼吸装置（１）。
【０３４１】
［項目４７］
項目１から項目４６のいずれか一項目に記載の呼吸装置（１）であって、
前記第２の壁部（４）及び／若しくは第１の壁部（３）は、前記再呼吸空気チャンバ（１５）から水を排出するように構成された水輸送要素を備え、前記水輸送要素は、ある材料から作製されるか、若しくは、ある材料を備え、前記ある材料は、前記再呼吸空気チャンバ（１５）から前記周囲大気へ、若しくは水収集ユニットへ水を輸送するための通路を提供する、呼吸装置（１）。
【０３４２】
［項目４８］
項目１から項目４７のいずれか一項目に記載の呼吸装置（１）であって、
小室（９，２１，２２）を更に備え、前記小室（９，２１，２２）の内部には、使用されていない場合、前記吸い口（２）の一部分及び前記再呼吸空気チャンバ（１５）が格納される、呼吸装置（１）。
【０３４３】
［項目４９］
項目４８に記載の呼吸装置（１）であって、
前記吸い口（２）の前記一部分及び前記再呼吸空気チャンバ（１５）は、小室の中で位置変更的に配置されるなど取り替え可能である、呼吸装置（１）。
【０３４４】
［項目５０］
項目４８若しくは項目４９に記載の呼吸装置（１）であって、
前記小室（２１）は、蓋のような２つの着脱可能な小室要素（２２）を備え、各々は、前記小室（２１）の端部に位置変更的に配置されるなど取り替え可能であり、前記２つの着脱可能な小室要素は、装置が使用されない場合、前記再呼吸空気チャンバ（１５）若しくは呼吸経路のいずれかへのアクセスを妨げ、前記着脱可能な小室要素（２２）は、位置変更されるなど、取り外される若しくは取り替えられる場合、前記再呼吸空気チャンバ（１５）へのアクセス、及び／若しくは前記呼吸経路（２）へのアクセスを提供するように構成される、呼吸装置（１）。
【０３４５】
［項目５１］
項目４７から項目４９のいずれか一項目に記載の呼吸装置（１）であって、
前記小室要素（２２）は、使用していない間に、前記再呼吸空気チャンバ（１５）若しくは呼吸経路へのアクセスがある端部に隣接する２つの側（２３）で位置変更されるなどで、取り替えられるように構成され、それによって、使用中に前記呼吸装置をより良く把持することを提供する、呼吸要素（１）。
【０３４６】
［項目５２］
項目１から項目５１のいずれか一項目に記載の呼吸装置であって、
前記再呼吸空気チャンバ（１５）は、前記吸い口（２）から着脱可能であると共に、前記吸い口（２）に再取り付け可能である、呼吸装置。
【０３４７】
［項目５３］
項目１から項目５２のいずれか一項目に記載の呼吸装置であって、
前記再呼吸空気チャンバ（１５）に、好ましくは直接流体連通ではなく、取り付けられた安定チャンバ／構造体（１３）を更に備え、前記安定チャンバ／構造体（１３）は、再呼吸の吸い込み段階の間に、前記再呼吸空気チャンバが完全につぶれることを妨げるように構成される、呼吸装置。
【０３４８】
［項目５４］
項目１から項目５３のいずれか一項目に記載の呼吸装置であって、
前記再呼吸空気チャンバ（１５）は、前記再呼吸空気チャンバの空気を空にするように構成された、１つ以上の放出バルブ（１４）を備える、呼吸装置。
【０３４９】
［項目５５］
項目１から項目５４のいずれか一項目に記載の呼吸装置であって、
片頭痛の治療に使用するための、呼吸装置。
【０３５０】
［項目５６］
項目１から項目５４のいずれか一項目に記載の呼吸装置であって、
癲癇の治療に使用するための、呼吸装置。
【０３５１】
［項目５７］
項目１から項目５６のいずれか一項目に記載の呼吸装置であって、
熱性痙攣の治療に使用するための、呼吸装置。
【０３５２】
［項目５８］
項目１から項目５７のいずれか一項目に記載の呼吸装置であって、
腰椎穿刺性頭痛の治療に使用するための、呼吸装置。
【０３５３】
［項目５９］
項目１から項目５８のいずれか一項目に記載の呼吸装置であって、
喘息の予防的治療に使用するための、呼吸装置。
【０３５４】
［項目６０］
項目１から項目５９のいずれか一項目に記載の呼吸装置であって、
心拍停止の治療に使用するための、呼吸装置。
【０３５５】
［項目６１］
項目１から項目６０のいずれか一項目に記載の呼吸装置であって、
前記再呼吸空気チャンバは、そのサイズを減少させるべく、折りたたみ可能である、呼吸装置。
【０３５６】
［項目６２］
項目７から項目６１のいずれか一項目に記載の呼吸装置であって、
前記再呼吸空気チャンバ接続器（２６）は、前記接続器（２６）に配置された多数の平行に伸びる折りたたみ線（３２）を備えることによって、折りたたみ可能であり、これによって、空気呼吸接続器（２６）が、好ましくは直方体である空隙（３３）を定義する配置に折りたたまれることを可能にし、好ましくは、前記呼吸用空気チャンバ接続器（２６）の寸法は、折りたたまれた配置にある場合、前記再呼吸空気チャンバ（１５）の少なくとも一部分が、前記空隙（３３）の内部に収容されるように、選択される、呼吸装置。
【０３５７】
［項目６３］
項目６２に記載の呼吸装置であって、
前記再呼吸空気チャンバ接続器（２６）は滑動部（２４）を備え、前記滑動部（２４）は、前記滑動部（２４）が一方の側に移動する場合、前記再呼吸空気チャンバ（１５）の中への開口部を提供し、前記滑動部（２４）は、１つ以上の貫通開口部（３０）の覆いをとる、若しくは１つ以上の貫通開口部（３０）を覆うことによって、前記再呼吸空気チャンバ（１５）の中への空気の流れを調節することを目的として構成される、呼吸装置。
【０３５８】
［項目６４］
項目６２若しくは項目６３に記載の呼吸装置であって、
前記再呼吸空気チャンバ接続器（２６）は、１つ以上の貫通開口部（２７）を備える、若しくは１つ以上の貫通開口部（２７）を更に備え、前記１つ以上の貫通開口部（２７）は、好ましくはサイズが調節可能ではなく、且つ、前記再呼吸空気チャンバに入る、及び／若しくは前記再呼吸空気チャンバから出る際の、前記周囲大気との流体連通を可能にする、呼吸装置。
【０３５９】
［項目６５］
項目６２から項目６４のいずれか一項目に記載の呼吸装置であって、
前記再呼吸空気チャンバ接続器（２６）は、細長い展開要素（３４）を備え、前記細長い展開要素（３４）は、前記接続器（２６）の表面に沿う折りたたみ線に好ましくは垂直である方向に滑動可能に伸びると共に、１つの端部（３４ａ）で前記接続器（２６）に固定され、その結果として、固定された端部の反対側の端部で前記細長い展開要素（３４）をユーザが引っ張ることによって、その折りたたまれた配置から前記再呼吸空気チャンバ接続器を展開することを目的として構成される、呼吸装置。
【０３６０】
［項目６６］
項目６５に記載の呼吸装置であって、
前記再呼吸空気チャンバ接続器（２６）は、前記接続器（２６）上の案内位置に前記細長い展開要素（３４）を維持する案内要素（３５）を備える、呼吸装置。
【０３６１】
［項目６７］
項目６５若しくは項目６６に記載の呼吸装置であって、
前記細長い展開要素（３４）及び／若しくは前記再呼吸空気チャンバ接続器（２６）は、掛け金を備え、前記掛け金は、前記再呼吸空気チャンバ接続器（２６）がその展開された配置にある場合、前記細長い展開要素の位置を掛け金で留めることを目的として構成される、呼吸装置。
【０３６２】
［項目６８］
項目１から項目６７のいずれか一項目に記載の呼吸装置であって、
前記再呼吸空気チャンバ（１５）は、前記再呼吸空気チャンバの壁部に取り付けられた細片（３７）を備え、前記細片（３７）は、ユーザが、好ましくは折りたたまれた配置から前記再呼吸空気チャンバを展開するべく、前記再呼吸空気チャンバ（１５）を膨張させることを可能にし、その結果として、ユーザが、前記再呼吸空気チャンバの中に空気を吐き出すことを容易にする、呼吸装置。
［総論］
【０３６３】
本発明の実施形態の個々の要素は、単一ユニットにおいて、複数のユニットにおいて、若しくは別々の機能的なユニットの一部としてなど、任意の適切な方法で、物理的に、機能的に、及び論理的に履行してもよい。本発明は、単一ユニットで履行してもよく、若しくは、異なるユニット及びプロセッサの間で物理的及び機能的の両方に分配されたものであってもよい。
【０３６４】
本発明は、指定された実施形態に関連して説明されてきたが、提示された実施例に限定されるものと解釈されるべきではない。本発明の範囲は、添付された一揃いの請求項に照らして解釈されるべきである。請求項の文脈において、「備える」（”ｃｏｍｐｒｉｓｉｎｇ”若しくは”ｃｏｍｐｒｉｓｅ”）という用語は、他の可能な要素若しくはステップを排除しない。また、”ａ”若しくは”ａｎ”などのような参照に関する言及は、複数を排除するものと解釈されるべきでなない。図で示される要素に関する、請求項における参照符号の使用もまた、発明の範囲を制限するものと解釈されるべきではない。更に、異なる請求項で述べられた個々の特徴は、できるかぎり有利に組み合わせてもよく、且つ、異なる請求項でこれらの特徴を述べることは、特徴の組み合わせが可能でない及び有利でない、ということを排除しない。
【符号の説明】
【０３６５】
１  呼吸装置
２  吸い口／呼吸経路
３  第１の壁部
４  第２の壁部
５  呼吸開口部
６  流れ開口部
７  流れ開口部
８  流れ開口部
９  小室
１０  孔があけられた壁材料、好ましくは可撓性である
１１  孔の列で孔あけされた可撓性の壁部
１２  構造支持チャンバ１３をふくらませるための逆止めバルブ
１３  構造安定チャンバ
１４  放出バルブ
１５  再呼吸空気チャンバ
１６  可撓性の第１の壁
１７  立方体
１８  可撓性の第２の壁
１９  貫通開口部
２０  壁部
２１  小室
２２  小室要素
２３  隣接する側
２４  滑動部
２５  壁部
２６  再呼吸空気チャンバ接続器
２７  調節可能でない谷状開口部
２８  谷状開口部との接続器の一部分
２９  受け口
３０  貫通開口部
３１  蝶番
３２  折りたたみ線
３３  空隙、好ましくは近位端部及び遠位端部で開いている
３４  展開要素
３４ａ  細長い展開要素３４の固定位置
３５  案内要素
３６  細孔
３７  つまみのような細片
３８  機械的バルブ
【図１】
2019506955.tif 000032
【図２】
2019506955.tif 000033
【図３】
2019506955.tif 000034
【図４】
2019506955.tif 000035
【図５】
2019506955.tif 000036
【図６】
2019506955.tif 000037
【図７】
2019506955.tif 000038
【図８】
2019506955.tif 000039
【図９】
2019506955.tif 000040
【図１０】
2019506955.tif 000041
【図１１】
2019506955.tif 000042
【図１１ａ】
2019506955.tif 000043
【図１２】
2019506955.tif 000044
【図１３】
2019506955.tif 000045
【図１４】
2019506955.tif 000046
【図１５】
2019506955.tif 000047
【図１６】
2019506955.tif 000048
【図１７】
2019506955.tif 000049
【国際調査報告】
2019506955.tif 000050
2019506955.tif 000051
2019506955.tif 000052